(57)【特許請求の範囲】
【請求項１】
第１無線を備え、該第１無線は第１の無線アクセス技術（ＲＡＴ）及び第２のＲＡＴに基づき動作するように構成可能であるユーザ装置において、
第１のＲＡＴの第１周波数で第１のＲＡＴの第１のベースステーションとの通信を遂行し、第１のＲＡＴの第２周波数での今度のチューンアウェイ動作をスケジューリングし、  ユーザ装置が第１のＲＡＴの第１周波数で動作する間に第２のＲＡＴの周波数でチューンアウェイ動作を遂行するための要求を受け取り、第２のＲＡＴの周波数へのチューンアウェイの要求は、第１のＲＡＴの第２周波数での今度のチューンアウェイ動作のスタートの前に発生し、そして第１のＲＡＴの第２周波数での今度のチューンアウェイ動作と衝突し、
第２のＲＡＴの周波数でチューンアウェイ動作を遂行し、この第２のＲＡＴの周波数でのチューンアウェイ動作の前記遂行は、第１のＲＡＴの今度のチューンアウェイを遅延するように作用し、
第２のＲＡＴの周波数へのチューンアウェイ動作の完了後に、第１無線を第１のＲＡＴの第２周波数へ直接的にチューニングして、第１のＲＡＴの第２周波数でチューンアウェイ動作を遂行し、第１のＲＡＴの第２周波数への第１無線の前記直接的なチューニングは、第２のＲＡＴの周波数でのチューンアウェイ動作の前記完了と第１のＲＡＴの第２周波数への第１無線の前記チューニングとの間に第１のＲＡＴの第１周波数へ第１無線をチューンバックすることを含まず、及び
第１のＲＡＴの第２周波数で第１のＲＡＴのチューンアウェイ動作を遂行する、
ことを含む方法。
【請求項２】
第２のＲＡＴの周波数での前記チューンアウェイ動作は、第２のＲＡＴに関連したページデコーディングを遂行することを含む、請求項１に記載の方法。
【請求項３】
第２のＲＡＴの周波数での前記チューンアウェイ動作は、第２のＲＡＴに関連した同期を遂行することを含む、請求項１に記載の方法。
【請求項４】
第１のＲＡＴの第２周波数での前記チューンアウェイ動作は、第１のＲＡＴに対する隣接ベースステーション測定を遂行することを含む、請求項１に記載の方法。
【請求項５】
第１のＲＡＴの第２周波数での第１のＲＡＴのチューンアウェイ動作の前記遂行後に、第１のＲＡＴの第１周波数へ第１無線をチューンバックすることを更に含む、請求項１に記載の方法。
【請求項６】
ユーザ装置は、セルラー通信を遂行するための単一無線を備え、前記第１無線は単一無線である、請求項１に記載の方法。
【請求項７】
第１のＲＡＴは、ロング・ターム・エボリューション（ＬＴＥ）を含む、請求項１に記載の方法。
【請求項８】
第２のＲＡＴは、グローバル・システム・フォー・モバイル・コミュニケーション（ＧＳＭ）を含む、請求項１に記載の方法。
【請求項９】
ユーザ装置は、ＳＩＭ（加入者アイデンティティモジュール）機能を各々実施する２つのスマートカードを含み、ユーザ装置は、ＤＳＤＡ（デュアルＳＩＭデュアルアクティブ）機能を実施する、請求項１に記載の方法。
【請求項１０】
第１の無線アクセス技術（ＲＡＴ）及び第２のＲＡＴを使用して通信を行い且つ第１のＲＡＴ及び第２のＲＡＴの両方への接続を維持するように構成された第１無線と、
前記第１無線に結合された１つ以上のプロセッサと、
を備え、前記１つ以上のプロセッサ及び第１無線は、
第１のＲＡＴの第１周波数で第１のＲＡＴの第１のベースステーションとの通信を遂行し、
第１のＲＡＴの第２周波数でチューンアウェイ動作を遂行し、チューンアウェイ動作の前記遂行は、第１無線を第１のＲＡＴの第２周波数へチューニングすることを含み、
第１のＲＡＴの第２周波数で第１のＲＡＴのチューンアウェイ動作を遂行する間に第２のＲＡＴの周波数でチューンアウェイ動作を遂行するための要求を受け取り、
前記要求を受け取った後に、第１のＲＡＴの第２周波数でのチューンアウェイ動作の遂行を完了し、
第１のＲＡＴの第２周波数でのチューンアウェイ動作の遂行を完了した後に、第２のＲＡＴの周波数でのチューンアウェイ動作を遂行し、第２のＲＡＴの周波数でのチューンアウェイ動作の遂行は、第１無線を第１のＲＡＴの第２周波数から第２のＲＡＴの周波数へ直接的にチューニングすることを含み、第２のＲＡＴの周波数への第１無線の前記直接的なチューニングは、第１のＲＡＴの第２周波数でのチューンアウェイ動作の前記遂行完了と、第２のＲＡＴの周波数への第１無線のチューニングとの間に第１のＲＡＴの第１周波数へ第１無線をチューンバックすることを含まない、
ように構成されるユーザ装置。
【請求項１１】
第２のＲＡＴの周波数での前記チューンアウェイ動作は、第２のＲＡＴに関連したページデコーディングを遂行することを含む、請求項１０に記載のユーザ装置。
【請求項１２】
第２のＲＡＴの周波数での前記チューンアウェイ動作は、第２のＲＡＴに関連した同期を遂行することを含む、請求項１０に記載のユーザ装置。
【請求項１３】
第１のＲＡＴの第２周波数での前記チューンアウェイ動作は、第１のＲＡＴに対する隣接ベースステーション測定を遂行することを含む、請求項１０に記載のユーザ装置。
【請求項１４】
前記１つ以上のプロセッサは、更に、第２のＲＡＴの周波数でのチューンアウェイ動作の前記遂行の後に前記第１無線を第１のＲＡＴの第１周波数へチューンバックするように構成される、請求項１０に記載のユーザ装置。
【請求項１５】
ユーザ装置は、セルラー通信を遂行するための単一無線を備え、前記第１無線は単一無線である、請求項１０に記載のユーザ装置。
【請求項１６】
第１のＲＡＴは、ロング・ターム・エボリューション（ＬＴＥ）を含み、そして第２のＲＡＴは、グローバル・システム・フォー・モバイル・コミュニケーション（ＧＳＭ）を含む、請求項１０に記載のユーザ装置。
【請求項１７】
ユーザ装置は、ＳＩＭ（加入者アイデンティティモジュール）機能を各々実施する２つのスマートカードを含み、ユーザ装置は、第１無線を使用してＤＳＤＡ（デュアルＳＩＭデュアルアクティブ）機能を実施するように構成される、請求項１０に記載のユーザ装置。
【請求項１８】
ユーザ装置により実行するためのプログラムインストラクションを記憶する非一時的なコンピュータアクセス可能なメモリ媒体において、ユーザ装置は、第１の無線アクセス技術（ＲＡＴ）及び第２のＲＡＴを使用して通信するための第１無線を備え、前記プログラムインストラクションは、
第１のＲＡＴの第１周波数で第１のＲＡＴの第１のベースステーションとの通信を遂行し、第１のＲＡＴの第２周波数での今度のチューンアウェイ動作をスケジューリングし、  ユーザ装置が第１のＲＡＴの第１周波数で動作する間に第２のＲＡＴの周波数でチューンアウェイ動作を遂行するための要求を受け取り、
第２のＲＡＴの周波数へのチューンアウェイの要求が、第１のＲＡＴの第２周波数での今度のチューンアウェイ動作のスタートの前に発生して、第１のＲＡＴの第２周波数での今度のチューンアウェイ動作と衝突する場合には、第２のＲＡＴの周波数でチューンアウェイ動作を遂行した後に、第１のＲＡＴの第２の周波数でチューンアウェイ動作を遂行し、及び
第２のＲＡＴの周波数へのチューンアウェイの要求が、第１のＲＡＴの第２周波数での今度のチューンアウェイ動作のスタートの後に発生する場合には、第１のＲＡＴの第２の周波数でチューンアウェイ動作を遂行した後に、第２のＲＡＴの周波数でチューンアウェイ動作を遂行する、
ようにプロセッサにより実行される、非一時的コンピュータアクセス可能なメモリ媒体。
【請求項１９】
第２のＲＡＴの周波数でチューンアウェイ動作を遂行する要求が、第１のＲＡＴの第２周波数での今度のチューンアウェイ動作のスタートの前に生じる場合には、前記１つ以上のプロセッサは、更に、
第２のＲＡＴの周波数でのチューンアウェイ動作を完了した後に、第１無線を第１のＲＡＴの第２周波数へ直接的にチューニングして第１のＲＡＴの第２周波数でチューンアウェイ動作を遂行し、第１無線を第１のＲＡＴの第２周波数へ直接的にチューニングすることは、第２のＲＡＴの周波数でのチューンアウェイ動作の完了と、第１のＲＡＴの第２周波数への第１無線のチューニングとの間に第１のＲＡＴの第１周波数へ第１無線をチューンバックすることを含まない、
ように構成される、請求項１８に記載の非一時的なコンピュータアクセス可能なメモリ媒体。
【請求項２０】
第２のＲＡＴの周波数でチューンアウェイ動作を遂行する要求が、第１のＲＡＴの第２周波数での今度のチューンアウェイ動作のスタートの後に生じる場合には、前記１つ以上のプロセッサは、更に、
第１のＲＡＴの第２周波数でのチューンアウェイ動作を完了した後に、第１無線を第２のＲＡＴの周波数へ直接的にチューニングして第２のＲＡＴの周波数でチューンアウェイ動作を遂行し、第１無線を第２のＲＡＴの周波数へ直接的にチューニングすることは、第１のＲＡＴの第２周波数でのチューンアウェイ動作の完了と、第２のＲＡＴの周波数への第１無線のチューニングとの間に第１のＲＡＴの第１周波数へ第１無線をチューンバックすることを含まない、
ように構成される、請求項１８に記載の非一時的なコンピュータアクセス可能なメモリ媒体。
【発明の詳細な説明】
【技術分野】
【０００１】
本発明は、ワイヤレス装置に関するもので、より特定すれば、複数の無線アクセス技術（ＲＡＴ）をサポートするワイヤレス装置の性能改善及び／又は消費電力の減少を与えるシステム及び方法に関する。
【背景技術】
【０００２】
ワイヤレス通信システムは、その利用が急速に成長している。更に、ワイヤレス通信技術は、音声のみの通信からインターネット及びマルチメディアコンテンツのようなデータの送信も含むように進化した。それ故、ワイヤレス通信の改善が望まれる。特に、ユーザ装置（ＵＥ）、例えば、セルラー電話のようなワイヤレス装置に存在する多量の機能は、ＵＥのバッテリ寿命に著しい負担を課する。更に、ＵＥが複数の無線アクセス技術（ＲＡＴ）をサポートするように構成される場合には、１つ以上のＲＡＴに、他のＲＡＴのチューンアウェイ(tune-away)動作等により、ある性能低下が生じる。その結果、そのようなワイヤレスＵＥ装置において電力の節約及び／又は性能改善を与える技術が望まれる。
【０００３】
既存のＲＡＴに加えて、新規で且つ改善されたセルラー無線アクセス技術（ＲＡＴ）が時々展開される。例えば、第３世代パートナーシッププロジェクト（３ＧＰＰ）によって開発されて標準化されたロング・ターム・エボリューション（ＬＴＥ）技術を実施するネットワークが現在展開されている。ＬＴＥ及び他の新規なＲＡＴは、種々の第２世代（２Ｇ）及び第３世代（３Ｇ）ＲＡＴのようなレガシーＲＡＴを利用するネットワークより高速のデータレートをしばしばサポートする。
【０００４】
しかしながら、ある展開において、ＬＴＥ及び他の新規なＲＡＴは、レガシーネットワークにより取り扱うことのできる幾つかのサービスを完全にサポートしないことがある。従って、ＬＴＥネットワークは、レガシーネットワークと重畳する領域においてしばしば共通展開され、そしてＵＥ装置は、サービス又はカバレージで要求されるときにＲＡＴ間を遷移する。例えば、ある展開において、ＬＴＥネットワークは、ボイスコールをサポートすることができない。従って、例えば、ＵＥ装置が、ボイスコールをサポートしないＬＴＥネットワークに接続されている間に、回路交換ボイスコールを受信又は発信するときには、ＵＥ装置は、他の可能性の中で、ボイスコールをサポートするＧＳＭ（登録商標）（グローバルシステム・フォア・モバイルコミュニケーションズ）ＲＡＴ、又は“１Ｘ”（コード分割多重アクセス２０００（ＣＤＭＡ２０００）１Ｘ）ＲＡＴを使用するもの、等のレガシーネットワークへ遷移することができる。
【０００５】
あるＵＥ装置は、単一無線を使用して、複数のセルラーＲＡＴの動作をサポートする。例えば、あるＵＥ装置は、単一無線を使用してＬＴＥ及びＧＳＭの両ネットワークの動作をサポートする。複数のＲＡＴに単一無線を使用すると、到来するボイスコール又は回路交換サービスに対するページメッセージ等に応答して行うネットワーク間での遷移をより複雑なものにする。それに加えて、複数のＲＡＴに単一無線を使用すると、幾つかの電力使用及び性能上の問題が生じる。
【０００６】
例えば、そのようなシステムでは、ＵＥは、例えば、ボイスコールのページングチャンネルを聞くため、より進歩したＲＡＴを使用する第１のネットワークから、レガシーＲＡＴを使用する第２のネットワークへ周期的にチューンすることができる。しかしながら、ＬＴＥのようなより進歩したＲＡＴから、ＧＳＭのようなレガシーＲＡＴへのそのようなチューンアウェイ動作は、ＬＴＥネットワークの消費電力を増加し、及び／又は性能を低下させる。
【発明の概要】
【発明が解決しようとする課題】
【０００７】
それ故、ＵＥ装置が単一無線を使用して複数のセルラーＲＡＴの動作をサポートするワイヤレス通信システムにおいて性能及び消費電力の改善を提供することが望まれる。
【課題を解決するための手段】
【０００８】
ここに述べる実施形態は、第１の無線アクセス技術（ＲＡＴ）及び第２のＲＡＴに基づいて動作するように構成された第１無線を備えたユーザ装置（ＵＥ）及び該ユーザ装置を動作するための関連方法に関する。ＵＥは、第１のＲＡＴに対する測定（例えば、イントラセル測定、インターセル測定、及び／又はインターＲＡＴ測定）を遂行する間に第２のＲＡＴに対するチューンアウェイ動作を遂行する要求を受け取る。第１のＲＡＴの測定の完了を待機するのではなく、ＵＥは、無線を第２のＲＡＴの周波数にチューニングして、第２のＲＡＴに対するチューンアウェイ動作（例えば、ページデコーディング）を遂行する。第２のＲＡＴのチューンアウェイ動作を完了した後に、ＵＥは、無線を第１のＲＡＴに対応する周波数へ戻すようにチューニングし、第１のＲＡＴの測定動作を継続する。
【０００９】
ここに述べる実施形態は、第１のＲＡＴに対するウオームアップ動作を遂行する間に第２のＲＡＴに対するチューンアウェイ動作を遂行するためのユーザ装置（ＵＥ）及びその関連方法に関する。例えば、ＵＥは、第１のＲＡＴを使用して通信を行うためにスリープモードからウェイクアップする間に、種々のアクションを遂行し、例えば、結晶発振子をウオームアップし、１つ以上のプロセッサに対するスタートアップ動作を遂行し、及び／又は第１のＲＡＴのベースステーションとの動作を同期させるための時間追跡ループ及び／又は周波数追跡ループ（ＴＴＬ／ＦＴＬ）動作を遂行する。しかしながら、このウェークアッププロセス中にチューンアウェイ要求が受け取られることがある。ＴＴＬ／ＦＴＬ動作の前にチューンアウェイ要求が受け取られた場合には、それが単にＴＴＬ／ＦＴＬ動作の前に遂行される。第２のＲＡＴのチューンアウェイ手順が完了した後、第１のＲＡＴのＴＴＬ／ＦＴＬ動作が遂行される。ＴＴＬ／ＦＴＬ動作中にチューンアウェイ要求が受け取られた場合には、第２のＲＡＴに対するチューンアウェイ動作を遂行するためにそれらがキャンセルされる。完了後に、第１のＲＡＴに対するＴＴＬ／ＦＴＬ動作が遂行される。
【００１０】
この概要は、ここに述べる要旨の態様を基本的に理解するために規範的実施形態の概要を記載するものである。従って、上述した特徴は、単なる例示に過ぎず、ここに述べる要旨の範囲又は精神を何ら限定するものではない。ここに述べる要旨の他の特徴、態様及び効果は、以下の詳細な説明、添付図面及び特許請求の範囲から明らかとなるであろう。
【００１１】
本発明の実施形態の以下の詳細な説明を添付図面と共に考慮したときに、本発明を良く理解することができるであろう。
【図面の簡単な説明】
【００１２】
【図１】一実施形態による規範的なユーザ装置（ＵＥ）を示す。
【図２】ＵＥが２つの異なるＲＡＴを使用して２つのベースステーションと通信する規範的なワイヤレス通信システムを示す。
【図３】一実施形態によるベースステーションの規範的なブロック図である。
【図４】一実施形態によるＵＥの規範的なブロック図である。
【図５Ａ】一実施形態によるＵＥのワイヤレス通信回路の規範的なブロック図である。
【図５Ｂ】一実施形態によるＵＥのワイヤレス通信回路の規範的なブロック図である。
【図６】第１及び第２のＲＡＴのチューンアウェイ間の衝突を解消する規範的な方法を示すフローチャートである。
【図７Ａ】図６の方法の実施形態に対応する図である。
【図７Ｂ】図６の方法の実施形態に対応する図である。
【図８】第１及び第２のＲＡＴのチューンアウェイ間の衝突を解消する規範的な方法を示すフローチャートである。
【図９Ａ】図８の方法の実施形態に対応する図である。
【図９Ｂ】図８の方法の実施形態に対応する図である。
【図１０】第１のＲＡＴのインターセル測定に第２のＲＡＴのチューンアウェイを挿入するための規範的方法を示すフローチャートである。
【図１１Ａ】図１０の方法の実施形態に対応する図である。
【図１１Ｂ】図１０の方法の実施形態に対応する図である。
【図１２】第１のＲＡＴのインターセル及び／又はインターＲＡＴ測定に第２のＲＡＴのチューンアウェイを挿入するための規範的方法を示すフローチャートである。
【図１３Ａ】図１２の方法の実施形態に対応する図である。
【図１３Ｂ】図１２の方法の実施形態に対応する図である。
【図１４】第１のＲＡＴのウオームアップ中に第２のＲＡＴのチューンアウェイを挿入するための規範的方法を示すフローチャートである。
【発明を実施するための形態】
【００１３】
本発明は種々の変更や代替的形態を受け易いが、その特定の実施形態を添付図面に一例として示して、以下に詳細に説明する。しかしながら、添付図面及びそれに対する詳細な説明は、本発明をここに開示する特定の形態に限定するものではなく、逆に、特許請求の範囲により規定された本発明の精神及び範囲に包含される全ての変更、等効物及び代替物を網羅することを意図していることを理解されたい。
【００１４】
頭字語
本開示では、次の頭字語を使用する。
３ＧＰＰ：第３世代パートナーシッププロジェクト
３ＧＰＰ２：第３世代パートナーシッププロジェクト２
ＧＳＭ：グローバルシステム・フォア・モバイルコミュニケーションズ
ＵＭＴＳ：ユニバーサルモバイルテレコミュニケーションズシステム
ＬＴＥ：ロング・ターム・エボリューション
ＲＡＴ：無線アクセス技術
ＴＸ：送信
ＲＸ：受信
【００１５】
用語
本明細書で使用される用語集は、次の通りである。
メモリ媒体：種々のタイプのメモリ装置又はストレージ装置のいずれか。「メモリ媒体」という用語は、インストール媒体、例えば、ＣＤ−ＲＯＭ、フロッピー（登録商標）ディスク、又はテープ装置；コンピュータシステムメモリ又はランダムアクセスメモリ、例えば、ＤＲＡＭ、ＤＤＲ  ＲＡＭ、ＳＲＡＭ、ＥＤＯ  ＲＡＭ、Ｒａｍｂｕｓ  ＲＡＭ、等；不揮発性メモリ、例えば、フラッシュ、磁気媒体、例えば、ハードドライブ又は光学的ストレージ；レジスタ又は他の同様のタイプのメモリ要素、等を含むことが意図される。メモリ媒体は、他のタイプのメモリ、及びその組み合わせを含む。加えて、メモリ媒体は、プログラムが実行される第１のコンピュータシステムに配置されるか、又はインターネットのようなネットワークを経て第１のコンピュータシステムに接続される第２の異なるコンピュータシステムに配置される。後者の場合には、第２のコンピュータシステムは、プログラムインストラクションを、実行のために第１のコンピュータに与える。「メモリ媒体」という用語は、異なる位置、例えば、ネットワークを経て接続された異なるコンピュータシステム、に存在する２つ以上のメモリ媒体を含む。メモリ媒体は、１つ以上のプロセッサにより実行されるプログラムインストラクション（例えば、コンピュータプログラムとして実施される）を記憶する。
【００１６】
キャリア媒体：上述したメモリ媒体、並びに物理的な送信媒体、例えば、電気、磁気又はデジタル信号のような信号を搬送するバス、ネットワーク、及び／又は他の物理的送信媒体。
【００１７】
プログラマブルハードウェア要素：プログラム可能な相互接続部を経て接続された複数のプログラム可能な機能ブロックを含む種々のハードウェア装置を備えている。例えば、ＦＰＧＡ（フィールドプログラマブルゲートアレイ）、ＰＬＤ（プログラマブルロジック装置）、ＦＰＯＡ（フィールドプログラマブルオブジェクトアレイ）、及びＣＰＬＤ（コンプレックスＰＬＤ）を含む。プログラマブル機能ブロックは、微細粒度（コンビナトリアルロジック又はルックアップテーブル）から粗い粒度（演算論理ユニット又はプロセッサコア）までの範囲である。プログラム可能なハードウェア要素は、「再構成可能なロジック」とも称される。
【００１８】
コンピュータシステム：パーソナルコンピュータシステム（ＰＣ）、メインフレームコンピュータシステム、ワークステーション、ネットワーク機器、インターネット機器、パーソナルデジタルアシスタント（ＰＤＡ）、パーソナル通信装置、スマートホン、テレビジョンシステム、グリッドコンピューティングシステム、或いは他の装置又は装置の組み合わせを含む種々のタイプのコンピューティング又は処理システムのいずれか。一般的に、「コンピュータシステム」という用語は、メモリ媒体からのインストラクションを実行する少なくとも１つのプロセッサを有する装置（又は装置の組み合わせ）を包含するように広く定義される。
【００１９】
ユーザ装置（ＵＥ）（又は「ＵＥ装置」）：移動又はポータブルであり且つワイヤレス通信を実行する種々のタイプのコンピュータシステム装置のいずれか。ＵＥ装置は、例えば、移動電話又はスマートホン（例えば、ｉＰｈｏｎｅTM、ＡｎｄｒｏｉｄTM−ベースの電話）、ポータブルゲーム機（例えば、ＮｉｎｔｅｎｄｏＤＳTM、ＰｌａｙＳｔａｔｉｏｎ  ＰｏｒｔａｂｌｅTM、Ｇａｍｅｂｏｙ  ＡｄｖａｎｃｅTM、ｉＰｈｏｎｅTM）、ラップトップ、ＰＤＡ、ポータブルインターネット装置、音楽プレーヤ、データストレージ装置、他のハンドヘルド装置、並びにウェラブル装置、例えば、腕時計、ヘッドホン、ペンダント、イヤホン、等を含む。一般的に、「ＵＥ」又は「ＵＥ装置」という用語は、ユーザにより容易に持ち運びされそしてワイヤレス通信することのできる電子、コンピューティング及び／又はテレコミュニケーション装置（又は装置の組み合わせ）を包含するように広く定義される。
【００２０】
ベースステーション：「ベースステーション」という用語は、全範囲の通常の意味を有するもので、少なくとも、固定位置にインストールされて、ワイヤレス電話システム又は無線システムの一部分として通信するのに使用されるワイヤレス通信ステーションを包含する。
【００２１】
処理要素：種々の要素又は要素の組み合わせを指す。処理要素は、例えば、ＡＳＩＣ（特定用途向け集積回路）のような回路、個々のプロセッサコアの部分又は回路、全プロセッサコア、個々のプロセッサ、フィールドプログラマブルゲートアレイ（ＦＰＧＡ）のようなプログラム可能なハードウェア装置、及び／又は複数のプロセッサを含むシステムの大きな部分を含む。
【００２２】
自動的：アクション又は動作を直接明示し又は遂行するユーザ入力なしに、コンピュータシステム（例えば、コンピュータシステムにより実行されるソフトウェア）或いは装置（例えば、回路、プログラム可能なハードウェア要素、ＡＳＩＣ、等）により遂行されるアクション又は動作を指す。従って、「自動的」という用語は、ユーザが動作を直接遂行するための入力を与えるように、ユーザにより動作が手動で遂行され又は明示されるのとは対照的である。自動的な手順は、ユーザにより与えられた入力によって開始されるが、「自動的に」遂行されるその後のアクションは、ユーザによって明示されず、即ちユーザが遂行すべき各アクションを明示して「手動」で遂行されるのではない。例えば、各フィールドを選択しそして入力明示情報を与える（例えば、情報をタイプし、チェックボックスを選択し、無線を選択し、等により）ことにより電子的フォームを埋めるユーザは、コンピュータシステムがユーザのアクションに応答してフォームを更新しなくてはならなくても、フォームを手動で埋める。フォームは、コンピュータシステムにより自動的に埋められてもよく、この場合、コンピュータシステム（例えば、コンピュータシステムで実行されるソフトウェア）は、フォームのフィールドを分析し、そしてフィールドへの返答を明示するユーザ入力なしにフォームを埋める。上述したように、ユーザは、フォームを自動的に埋めることを求めるが、フォームを実際に埋めることには関与しない（例えば、ユーザは、フィールドへの返答を手動で明示せず、それは、自動的に完成される）。本明細書は、ユーザがとったアクションに応答して自動的に遂行される動作の種々の例について述べる。
【００２３】
図１：ユーザ装置
図１は、一実施形態による規範的なユーザ装置（ＵＥ）１０６を示す。ＵＥ１０６という語は、上述した種々の装置のいずれかである。ＵＥ装置１０６は、種々の材料のいずれかで構成されるハウジング１２を備えている。ＵＥ１０６は、容量性タッチ電極を合体するタッチスクリーンであるディスプレイ１４を有する。ディスプレイ１４は、種々のディスプレイ技術のいずれかに基づく。ＵＥ１０６のハウジング１２は、種々の要素、例えば、ホームボタン１６、スピーカポート１８、及び他の要素（図示せず）、例えば、マイクロホン、データポート、及び考えられる他の種々のタイプのボタン、例えば、ボリュームボタン、リンガーボタン、等のための開口を含み又は備えている。
【００２４】
ＵＥ１０６は、複数の無線アクセス技術（ＲＡＴ）をサポートする。例えば、ＵＥ１０６は、グローバルシステム・フォア・モバイルコミュニケーションズ（ＧＳＭ）、ユニバーサルモバイルテレコミュニケーションズシステム（ＵＭＴＳ）、コード分割多重アクセス（ＣＤＭＡ）（例えば、ＣＤＭＡ２０００  １ＸＲＴＴ又は他のＣＤＭＡ無線アクセス技術）、ロング・ターム・エボリューション（ＬＴＥ）、アドバンストＬＴＥ、及び／又は他のＲＡＴ、の２つ以上のような種々のＲＡＴのいずれかを使用して通信するように構成される。例えば、ＵＥ１０６は、ＬＴＥ及びＧＳＭのような少なくとも２つの無線アクセス技術をサポートする。必要に応じて、種々の異なる又は他のＲＡＴをサポートすることもできる。
【００２５】
ＵＥ１０６は、１つ以上のアンテナを備えている。又、ＵＥ１０６は、１つ以上の送信器チェーン（ＴＸチェーン）及び１つ以上の受信器チェーン（ＲＸチェーン）の種々の組み合わせのような種々の無線構成のいずれかを含む。例えば、ＵＥ１０６は、２つ以上のＲＡＴをサポートする無線を含む。その無線は、単一ＴＸ（送信）チェーン及び単一ＲＸ（受信）チェーンを含む。或いは又、無線は、単一のＴＸチェーン、及び例えば、同じ周波数で動作する２つのＲＸチェーンを含んでもよい。別の実施形態では、ＵＥ１０６は、２つ以上の無線、即ち２つ以上のＴＸ／ＲＸチェーン（２つ以上のＴＸチェーン及び２つ以上のＲＸチェーン）を備えている。
【００２６】
ここに述べる実施形態では、ＵＥ１０６は、２つ以上のＲＡＴを使用して通信する２つのアンテナを備えている。例えば、ＵＥ１０６は、単一の無線又は共有無線に結合された一対のセルラー電話アンテナを有する。それらのアンテナは、スイッチング回路及び他の高周波フロントエンド回路を使用して共有無線（共有ワイヤレス通信回路）に結合される。例えば、ＵＥ１０６は、トランシーバ又は無線に結合された第１のアンテナ、即ち送信のために送信器チェーン（ＴＸチェーン）結合され且つ受信のために第１の受信チェーン（ＲＸチェーン）に結合された第１のアンテナを有する。又、ＵＥ１０６は、第２のＲＸチェーンに結合された第２のアンテナも備えている。第１及び第２の受信チェーンは、共通の局部発振器を共有し、これは、第１及び第２の受信器チェーンの両方が同じ周波数に同調することを意味する。第１及び第２の受信器チェーンは、一次受信器チェーン（ＰＲＸ）及びダイバーシティ受信器チェーン（ＤＲＸ）と称される。
【００２７】
一実施形態において、ＰＲＸ及びＤＲＸ受信チェーンは、対として動作し、ＬＴＥのような２つ以上のＲＡＴ及びＧＳＭ又はＣＤＭＡ１ｘのような１つ以上の他のＲＡＴの間を時間多重化する。ここに述べる一次の実施形態では、ＵＥ１０６は、１つの送信器チェーン及び２つの受信器チェーン（ＰＲＸ及びＤＲＸ）を備え、その送信器チェーン及び２つの受信器チェーン（対として働く）は、ＬＴＥ及びＧＳＭのような２つ（以上）のＲＡＴ間を時間多重化する。
【００２８】
各アンテナは、例えば、６００ＭＨｚから３ＧＨｚまでといった広範囲な周波数を受信する。従って、例えば、ＰＲＸ及びＤＲＸ受信器チェーンの局部発振器は、ＬＴＥ周波数帯域のような特定の周波数に同調し、ＰＲＸ受信器チェーンは、アンテナ１からサンプルを受信し、そしてＤＲＸ受信器チェーンは、アンテナ２からサンプルを受信し、両方とも同じ周波数である（同じ局部発振器を使用しているために）。ＵＥ１０６のワイヤレス回路は、ＵＥ１０６の希望の動作モードに基づいてリアルタイムで構成される。ここに述べる規範的な実施形態では、ＵＥ１０６は、ＬＴＥ及びＧＳＭ無線アクセス技術をサポートするように構成される。
【００２９】
図２：通信システム
図２は、規範的な（及び簡単化された）ワイヤレス通信システムを示している。図２のシステムは、考えられるシステムの一例に過ぎず、実施形態は、必要に応じて、種々のシステムのいずれでも実施できることに注意されたい。
【００３０】
図示されたように、規範的なワイヤレス通信システムは、ＵＥ１０６として表わされた１つ以上のユーザ装置（ＵＥ）と送信媒体を経て通信するベースステーション１０２Ａ及び１０２Ｂを備えている。ベースステーション１０２は、ベーストランシーバステーション（ＢＴＳ）又はセルサイトであり、ＵＥ１０６とのワイヤレス通信を可能にするハードウェアを備えている。又、各ベースステーション１０２は、コアネットワーク１００とも通信するように装備される。例えば、ベースステーション１０２Ａは、コアネットワーク１００Ａに結合され、一方、ベースステーション１０２Ｂは、コアネットワーク１００Ｂに結合される。各コアネットワークが各セルラーサービスプロバイダーにより動作されてもよいし、又は複数のコアネットワーク１００Ａが同じセルラーサービスプロバイダーにより動作されてもよい。又、各コアネットワーク１００は、インターネット、公衆交換電話ネットワーク（ＰＳＴＮ）、及び／又は他のネットワークを含む１つ以上の外部ネットワーク（例えば、外部ネットワーク１０８）にも結合される。従って、ベースステーション１０２は、ＵＥ装置１０６間、及びＵＥ装置１０６とネットワーク１００Ａ、１００Ｂ及び１０８との間の通信を容易にする。
【００３１】
ベースステーション１０２及びＵＥ１０６は、ＧＳＭ、ＵＭＴＳ（ＷＣＤＭＡ（登録商標））、ＬＴＥ、ＬＴＥアドバンスト（ＬＴＥ−Ａ）、３ＧＰＰ２  ＣＤＭＡ２０００（例えば、１ｘＲＴＴ、１ｘＥＶ−ＤＯ、ＨＰＰＤ、ｅＨＲＰＤ）、ＩＥＥＥ８０２．１１（ＷＬＡＮ又はＷｉ−Ｆｉ）、ＩＥＥＥ８０２．１６（ＷｉＭＡＸ）、等の種々の無線アクセス技術（「ＲＡＴ」、ワイヤレス通信技術又はテレコミュニケーション規格とも称される）のいずれかを使用して送信媒体を経て通信するように構成される。
【００３２】
ベースステーション１０２Ａ及びコアネットワーク１００Ａは、第１のＲＡＴ（例えば、ＬＴＥ）に基づいて動作し、一方、ベースステーション１０２Ｂ及びコアネットワーク１００Ｂは、第２の（例えば、異なる）ＲＡＴ（例えば、ＧＳＭ、ＣＤＭＡ２０００又は他のレガシー又は回路交換技術）に基づいて動作する。２つのネットワークは、同じネットワークオペレータ（例えば、セルラーサービスプロバイダー又は「キャリア」）によりコントロールされるか、又は必要に応じて、異なるネットワークオペレータによりコントロールされる。更に、２つのネットワークは、互いに独立して動作されてもよいし（例えば、異なるＲＡＴに基づいて動作する場合）、或いは多少結合されて又は密接に結合されて動作されてもよい。
【００３３】
又、２つの異なるネットワークは、図２に示す規範的なネットワーク構成で示されたように、２つの異なるＲＡＴをサポートするのに使用されるが、複数のＲＡＴを具現化する他のネットワーク構成も考えられることに注意されたい。一例として、ベースステーション１０２Ａ及び１０２Ｂは、異なるＲＡＴに基づいて動作するが、同じネットワークに結合されてもよい。別の例として、異なるＲＡＴ（例えば、ＬＴＥ及びＧＳＭ、ＬＴＥ及びＣＤＭＡ２０００  １ｘＲＴＴ、及び／又はＲＡＴの他の組み合わせ）を同時にサポートできるマルチモードベースステーションは、異なるセルラー通信技術をサポートするコアネットワークに結合されてもよい。一実施形態において、ＵＥ１０６は、パケット交換技術である第１のＲＡＴ（例えば、ＬＴＥ）と、回路交換技術である第２のＲＡＴ（例えば、ＧＳＭ又は１ｘＲＴＴ）とを使用するように構成される。
【００３４】
上述したように、ＵＥ１０６は、３ＧＰＰ、３ＧＰＰ２、又は希望のセルラー規格内のもののような複数のＲＡＴを使用して通信することができる。又、ＵＥ１０６は、ＷＬＡＮ、Ｂｌｕｅｔｏｏｔｈ（登録商標）、１つ以上のグローバルナビゲーション衛星システム（ＧＮＳＳ、例えば、ＧＰＳ又はＧＬＯＮＡＳＳ）、１つ及び／又はそれ以上の移動テレビジョン放送規格（例えば、ＡＴＳＣ−Ｍ／Ｈ又はＤＶＢ−Ｈ）、等を使用して通信するように構成されてもよい。ネットワーク通信規格の他の組み合わせも考えられる。
【００３５】
従って、同じ又は異なるＲＡＴ或いはセルラー通信規格により動作するベースステーション１０２Ａ及び１０２Ｂ並びに他のベースステーションは、１つ以上の無線アクセス技術（ＲＡＴ）を経て広い地域にわたりＵＥ１０６及び同様の装置に連続的又はほぼ連続的な重畳するサービスを提供するセルのネットワークとして設けられる。
【００３６】
図３：ベースステーション
図３は、ベースステーション１０２の規範的なブロック図である。図３のベースステーションは、考えられるベースステーションの一例に過ぎないことに注意されたい。図示されたように、ベースステーション１０２は、ベースステーション１０２のためのプログラムインストラクションを実行するプロセッサ５０４を備えている。プロセッサ５０４は、メモリマネージメントユニット（ＭＭＵ）５４０にも結合され、これは、プロセッサ５０４からアドレスを受け取り、そしてそのアドレスをメモリ（例えば、メモリ５６０及びリードオンリメモリ（ＲＯＭ）５５０）内の位置或いは他の回路又は装置に変換するように構成される。
【００３７】
ベースステーション１０２は、少なくとも１つのネットワークポート５７０を備えている。このネットワークポート５７０は、電話ネットワークに結合されて、ＵＥ装置１０６のような複数の装置に、前記電話ネットワークへのアクセスを与えるように構成される。
【００３８】
ネットワークポート５７０（又は付加的なネットワークポート）は、セルラーネットワーク、例えば、セルラーサービスプロバイダーのコアネットワークに結合されてもよいし或いはそのように構成されてもよい。コアネットワークは、ＵＥ装置１０６のような複数の装置に移動関連サービス及び／又は他のサービスを提供することができる。あるケースでは、ネットワークポート５７０がコアネットワークを経て電話ネットワークに結合されてもよいし、及び／又はコアネットワークが電話ネットワークをなしてもよい（例えば、セルラーサービスプロバイダーによりサービスされる他のＵＥ装置１０６の中で）。
【００３９】
ベースステーション１０２は、少なくとも１つのアンテナ５３４を備えている。この少なくとも１つのアンテナ５３４は、ワイヤレストランシーバーとして動作するように構成され、そして無線５３０を経てＵＥ装置１０６と通信するように更に構成される。アンテナ５３４は、通信チェーン５３２を経て無線５３０と通信する。通信チェーン５３２は、受信チェーン、送信チェーン又はその両方である。無線５３０は、これに限定されないが、ＬＴＥ、ＧＳＭ、ＷＣＤＭＡ（登録商標），ＣＤＭＡ２０００、等を含む種々のＲＡＴを経て通信するように構成される。
【００４０】
ベースステーション１０２のプロセッサ５０４は、例えば、メモリ媒体（例えば、非一時的コンピュータ読み取り可能なメモリ媒体）に記憶されたプログラムインストラクションを実行することにより、ここに述べる方法の一部分又は全部を具現化するように構成される。或いは又、プロセッサ５０４は、ＦＰＧＡ（フィールドプログラマブルゲートアレイ）のようなプログラム可能なハードウェア要素として、又はＡＳＩＣ（特定用途向け集積回路）として、或いはその組み合わせとして、構成されてもよい。
【００４１】
図４：ユーザ装置（ＵＥ）
図４は、ＵＥ装置１０６の簡単なブロック図である。図示されたように、ＵＥ装置１０６は、種々の目的のための部分を含むシステムオンチップ（ＳＯＣ）４００を備えている。ＳＯＣ４００は、ＵＥ１０６の種々の他の回路に結合される。例えば、ＵＥ１０６は、種々のタイプのメモリ（例えば、ＮＡＮＤフラッシュ４１０を含む）、コネクタインターフェイス４２０（例えば、コンピュータシステム、ドック、充電ステーション、等に結合するための）、ディスプレイ４６０、ＬＴＥ、ＧＳＭ、等のためのセルラー通信回路４３０、及びショートレンジワイヤレス通信回路４２９（例えば、Ｂｌｕｅｔｏｏｔｈ（登録商標）及びＷＬＡＮ回路）を備えている。ＵＥ１０６は、更に、１つ以上のＵＩＣＣ（ユニバーサル集積回路カード）カード３１０のようなＳＩＭ（加入者アイデンティティモジュール）機能を含む１つ以上のスマートカード３１０も備えている。セルラー通信回路４３０は、１つ以上のアンテナ、好ましくは図示された２つのアンテナ４３５及び４３６に結合される。ショートレンジワイヤレス通信回路４２９は、アンテナ４３５及び４３６の一方又は両方にも結合される（この接続は、図示を容易にするために示されていない）。
【００４２】
図示されたように、ＳＯＣ４００は、ＵＥ１０６のためのプログラムインストラクションを実行するプロセッサ４０２と、グラフィック処理を行って表示信号をディスプレイ４６０に与えるディスプレイ回路４０４とを備えている。又、プロセッサ４０２は、メモリマネージメントユニット（ＭＭＵ）４４０にも結合され、これは、プロセッサ４０２からアドレスを受け取り、そしてそのアドレスをメモリ（例えば、メモリ４０６、リードオンリメモリ（ＲＯＭ）４５０、ＮＡＮＤフラッシュメモリ４１０）内の位置、及び／又は他の回路又は装置、例えば、ディスプレイ回路４０４、セルラー通信回路４３０、ショートレンジワイヤレス通信回路４２９、コネクタＩＦ４２０、及び／又はディスプレイ４６０に変換する。ＭＭＵ４４０は、メモリ保護及びページテーブル変換又はセットアップを遂行するように構成される。ある実施形態では、ＭＭＵ４４０は、プロセッサ４０２の一部分として含まれる。
【００４３】
１つの実施形態において、上述したように、ＵＥ１０６は、１つ以上の加入者アイデンティティモジュール（ＳＩＭ）アプリケーションを実行し及び／又はさもなければＳＩＭ機能を具現化するＵＩＣＣ３１０のような少なくとも１つのスマートカード３１０を備えている。少なくとも１つのスマートカード３１０は、単一のスマートカード３１０に過ぎず、又はＵＥ１０６は、２つ以上のスマートカード３１０を備えている。各スマートカード３１０は、ＵＥ１０６に埋め込まれ、例えば、ＵＥ１０６の回路板に半田付けされてもよく、或いは各スマートカード３１０は、除去可能なスマートカードとして具現化されてもよい。従って、スマートカード３１０は、１つ以上の除去可能なスマートカード（例えば、「ＳＩＭ」カードとも称されるＵＩＣＣカード）でもよいし、及び／又はスマートカード３１０は、１つ以上の埋設カード（例えば、「ｅＳＩＭ」又は「ｅＳＩＭカード」とも称される埋設型ＵＩＣＣ（ｅＵＩＣＣ））でもよい。ある実施形態では（例えば、スマートカード３１０がｅＵＩＣＣを含むときには）、スマートカード３１０の１つ以上が、埋設型ＳＩＭ（ｅＳＩＭ）機能を具現化し、そのような実施形態では、スマートカード３１０の１つが複数のＳＩＭアプリケーションを実行する。スマートカード３１０は、各々、プロセッサ及びメモリのようなコンポーネントを含み、ＳＩＭ／ｅＳＩＭ機能を遂行するためのインストラクションは、メモリに記憶されて、プロセッサにより実行される。１つの実施形態では、ＵＥ１０６は、必要に応じて、除去可能なスマートカード及び固定／除去不能なスマートカード（例えば、ｅＳＩＭ機能を具現化する１つ以上のｅＵＩＣＣ）を組み合わせて備えてもよい。例えば、ＵＥ１０６は、２つの埋設型カード３１０、２つの除去可能なスマートカード３１０、又は１つの埋設型スマートカード３１０及び１つの除去可能なスマートカード３１０の組み合わせを備えてもよい。他の種々のＳＩＭ構成も意図される。
【００４４】
上述したように、１つの実施形態では、ＵＥ１０６は、ＳＩＭ機能を各々具現化する２つ以上のスマートカード３１０を備えている。ＵＥ１０６に２つ以上のＳＩＭスマートカード３１０を含ませることで、ＵＥ１０６は、２つの異なる電話番号をサポートできると共に、ＵＥ１０６は、対応する２つ以上の各ネットワークにおいて通信することができる。例えば、第１のスマートカード３１０は、ＬＴＥのような第１のＲＡＴをサポートするＳＩＭ機能を含み、そして第２のスマートカード３１０は、ＧＳＭのような第２のＲＡＴをサポートするＳＩＭ機能を含む。もちろん、他の具現化及びＲＡＴも考えられる。ＵＥ１０６が２つのスマートカード３１０を含む場合には、ＵＥ１０６は、デュアルＳＩＭデュアルアクティブ（ＤＳＤＡ）機能をサポートすることができる。ＤＳＤＡ機能は、ＵＥ１０６を２つのネットワークに同時に接続できるようにする（及び２つの異なるＲＡＴを使用できるようにする）。又、ＤＳＤＡ機能は、ＵＥ１０６が各電話番号においてボイスコール又はデータトラフィックを同時に受信するのを許す。別の実施形態では、ＵＥ１０６は、デュアルＳＩＭデュアルスタンバイ（ＤＳＤＳ）機能をサポートする。このＤＳＤＳ機能は、ＵＥ１０６の２つのスマートカード３１０の各々が、ボイスコール及び／又はデータ接続を待機してスタンバイするのを許す。ＤＳＤＳでは、一方のＳＩＭ３１０にコール／データが確立されるときに、他方のＳＩＭは、もはやアクティブではない。１つの実施形態では、異なるキャリア及び／又はＲＡＴに対して複数のＳＩＭアプリケーションを実行する単一のスマートカード（例えば、ｅＵＩＣＣ）でＤＳＤｘ（ＤＳＤＡ又はＤＳＤＳのいずれかの機能）が具現化される。
【００４５】
上述したように、ＵＥ１０６は、複数の無線アクセス技術（ＲＡＴ）を使用してワイヤレス通信するように構成される。前記で更に述べたように、そのような場合には、セルラー通信回路（無線）４３０は、単一のＲＡＴに従って使用するように排他的に構成された複数のＲＡＴ及び／又は無線コンポーネント間で共有される無線コンポーネントを含む。ＵＥ１０６が少なくとも２つのアンテナを含む場合には、アンテナ４３５及び４３６は、ＭＩＭＯ（複数入力複数出力）通信を具現化するように構成可能である。
【００４６】
ここに述べるように、ＵＥ１０６は、ここに述べるような２つ以上のＲＡＴを使用して通信する特徴を具現化するためのハードウェア及びソフトウェアコンポーネントを含む。ＵＥ装置１０６のプロセッサ４０２は、例えば、メモリ媒体（例えば、非一時的コンピュータ読み取り可能なメモリ媒体）に記憶されたプログラムインストラクションを実行することにより、ここに述べる特徴の一部分又は全部を具現化するように構成される。それとは別に（又はそれに加えて）、プロセッサ４０２は、ＦＰＧＡ（フィールドプログラマブルゲートアレイ）又はＡＳＩＣ（特定用途向け集積回路）のようなプログラム可能なハードウェア要素として構成される。それとは別に（又はそれに加えて）、ＵＥ装置１０６のプロセッサ４０２は、他のコンポーネント４００、４０４、４０６、４１０、４２０、４３０、４３５、４４０、４５０、４６０の１つ以上に関連して、ここに述べる特徴の一部分又は全部を具現化するように構成される。
【００４７】
図５Ａ及び５Ｂ：ＵＥ送信／受信ロジック
図５Ａは、一実施形態によるＵＥ１０６の一部分を示す。図示されたように、ＵＥ１０６は、ＵＥ１０６のコントロールアルゴリズムを具現化するためのコントロールコードを記憶して実行するように構成されたコントロール回路４２を備えている。該コントロール回路４２は、ストレージ及び処理回路２８（例えば、マイクロプロセッサ、メモリ回路、等）を備えると共に、ベースバンドプロセッサ集積回路５８を備えている。ベースバンドプロセッサ５８は、ワイヤレス回路３４の一部分を形成し、そしてメモリ及び処理回路を含む（即ち、ベースバンドプロセッサ５８は、ＵＥ１０６のストレージ及び処理回路の一部分を形成すると考えられる）。ベースバンドプロセッサ５８は、とりわけ、ＧＳＭロジック７２及びＬＴＥロジック７４のような種々の異なるＲＡＴを取り扱うためのソフトウェア及び／又はロジックを備えている。
【００４８】
ベースバンドプロセッサ５８は、経路４８を経てストレージ及び処理回路２８（例えば、マイクロプロセッサ、不揮発性メモリ、揮発性メモリ、他のコントロール回路、等）へデータを供給する。経路４８上のデータは、ＵＥのセルラー通信及び動作に関連したローデータ及び処理済データ、例えば、セルラー通信データ、受信信号に対するワイヤレス（アンテナ）性能メトリック、チューンアウェイ動作に関連した情報、ページング動作に関連した情報、等を含む。この情報は、ストレージ及び処理回路２８及び／又はプロセッサ５８により分析され、そしてそれに応答して、ストレージ及び処理回路２８（又は、必要に応じて、ベースバンドプロセッサ５８）は、ワイヤレス回路３４をコントロールするためのコントロールコマンドを発行する。例えば、ストレージ及び処理回路２８は、経路５２及び経路５０にコントロールコマンドを発行し、及び／又はベースバンドプロセッサ５８は、経路４６及び経路５１にコマンドを発行する。
【００４９】
ワイヤレス回路３４は、高周波トランシーバ回路６０のような高周波トランシーバ回路と、高周波フロントエンド回路６２とを含む。高周波トランシーバ回路６０は、１つ以上の高周波トランシーバを備えている。ここに示す実施形態では、高周波トランシーバ回路６０は、トランシーバ（ＴＸ）チェーン５９、受信器（ＲＸ）チェーン６１及びＲＸチェーン６３を含む。上述したように、２つのＲＸチェーン６１及び６３は、一次ＲＸチェーン６１、及びダイバーシティＲＸチェーン６３である。２つのＲＸチェーン６１及び６３は、同じ局部発振器（ＬＯ）に接続され、従って、ＭＩＭＯ動作のために同じ周波数で一緒に動作する。従って、ＴＸチェーン５９と、２つのＲＸチェーン６１及び６３は、他の必要な回路と共に、単一無線と考えられる。他の実施形態も、もちろん、意図される。例えば、高周波トランシーバ回路６０が単一のＴＸチェーン及び単一のＲＸチェーンしか含まず、これも、単一無線実施形態である。従って、「無線(radio)」という用語は、その通常の受け容れられる意味の最も広い範囲を有すると定義され、そして単一ＴＸチェーン及び単一ＲＸチェーンか、或いは単一ＴＸチェーン及び例えば同じＬＯに接続された２つ（以上）のＲＸチェーンかのいずれかを含む、無線に通常見られる回路を備えるものである。無線という用語は、上述した送信及び受信チェーンを包含するもので、ワイヤレス通信の実行に関連した高周波回路（例えば、送信及び受信チェーン）に結合されたデジタル信号処理も含む。一例として、送信チェーンは、増幅器、ミクサ、フィルタ、及びデジタル／アナログコンバータのようなコンポーネントを含む。同様に、受信チェーンも、例えば、増幅器、ミクサ、フィルタ、及びアナログ／デジタルコンバータのようなコンポーネントを含む。上述したように、複数の受信チェーンがＬＯを共有するが、他の実施形態では、それらが自身のＬＯを備えてもよい。ワイヤレス通信回路は、例えば、ＵＥ（送信／受信チェーン及び／又はデジタル信号処理）、ベースバンドプロセッサ、等の１つ以上の無線を含めて、コンポーネントの大きなセットを包含する。「セルラーワイヤレス通信回路」という用語は、例えば、Ｂｌｕｅｔｏｏｔｈ（登録商標）のような、セルラーの性質ではない他のプロトコルとは反対に、セルラー通信を遂行するための種々の回路を含む。ここに述べる本発明のある実施形態は、単一無線（即ち、単一ＴＸチェーン及び単一ＲＸチェーンをもつ無線；或いは単一ＴＸチェーン及び２つのＲＸチェーンをもち、２つのＲＸチェーンが同じＬＯに接続された無線）が複数のＲＡＴをサポートするときに性能を改善するように動作する。
【００５０】
図５Ｂに示すように、高周波トランシーバ回路６０は、２つ以上のＴＸチェーン及び２つ以上のＲＸチェーンを含む。例えば、図５Ｂは、ＴＸチェーン５９及びＲＸチェーン６１を含む第１無線５７と、第１のＴＸチェーン６５及び第２のＴＸチェーン６７を含む第１無線６３とを伴う実施形態を示す。又、図５Ａの実施形態に、図示された１つのＴＸチェーン５９及び２つのＲＸチェーン６１及び６３に加えて、付加的なＴＸ／ＲＸ受信チェーンが含まれた実施形態も意図される。複数のＴＸ及びＲＸチェーンを有するこれらの実施形態では、１つの無線しか現在アクティブでないとき、例えば、第２無線が節電のためにターンオフされたとき、ここに述べる本発明の幾つかの実施形態は、複数のＲＡＴをサポートするとき単一のアクティブな無線の性能を改善するように動作することができる。
【００５１】
ベースバンドプロセッサ５８は、ストレージ及び処理回路２８から送信されるべきデジタルデータを受け取り、そして経路４６及び高周波トランシーバ回路６０を使用して、それに対応する高周波信号を送信する。高周波フロントエンド６２は、高周波トランシーバ６０とアンテナ４０との間に結合され、そして高周波トランシーバ回路６０により発生された高周波信号をアンテナ４０へ搬送するのに使用される。高周波フロントエンド６２は、アンテナ４０と高周波トランシーバ６０との間のインターフェイスを形成する高周波スイッチ、インピーダンスマッチング回路、フィルタ、及び他の回路を含む。
【００５２】
アンテナ４０によって受信された到来する高周波信号は、高周波フロントエンド６２、経路５４及び５６のような経路、高周波トランシーバ６０の受信回路、及び経路４６のような経路を経て、ベースバンドプロセッサ５８へ供給される。経路５４は、例えば、トランシーバ５７に関連した信号を取り扱うのに使用され、一方、経路５６は、トランシーバ６３に関連した信号を取り扱うのに使用される。ベースバンドプロセッサ５８は、受信信号をデジタルデータに変換し、そのデジタルデータは、ストレージ及び処理回路２８へ送られる。又、ベースバンドプロセッサ５８は、トランシーバが現在チューニングされているチャンネルに対する信号の質を表わす情報を受信信号から抽出することもできる。例えば、コントロール回路４２内のベースバンドプロセッサ５８及び／又は他の回路は、受信信号を分析して、種々の測定値、例えば、ビットエラー率測定値、到来するワイヤレス信号に関連した電力量の測定値、強度指示子（ＲＳＳＩ）情報、受信信号コード電力（ＲＳＣＰ）情報、基準信号受信電力（ＲＳＲＰ）情報、信号対干渉比（ＳＩＮＲ）情報、信号対雑音比（ＳＮＲ）情報、Ｅｃ／Ｉｏ又はＥｃ／Ｎｏデータのような信号クオリティデータに基づくチャンネルクオリティ測定値、等を発生する。
【００５３】
高周波フロントエンド６２は、スイッチング回路を含む。そのスイッチング回路は、コントロール回路４２から受け取られるコントロール信号（例えば、ストレージ及び処理回路２８から経路５０を経て送られるコントロール信号、及び／又はベースバンドプロセッサ５８から経路５１を経て送られるコントロール信号）により構成される。スイッチング回路は、ＴＸ及びＲＸチェーンをアンテナ４０Ａ及び４０Ｂに接続するのに使用されるスイッチ（スイッチ回路）を含む。高周波トランシーバ回路６０は、ストレージ及び処理回路から経路５２を経て受信されるコントロール信号、及び／又はベースバンドプロセッサ５８から経路４６を経て受信されるコントロール信号により構成される。
【００５４】
使用するアンテナの数は、ＵＥ１０６の動作モードに依存する。例えば、図５Ａに示すように、通常のＬＴＥ動作では、アンテナ４０Ａ及び４０Ｂは、例えば、ＭＩＭＯ動作に対して受信ダイバーシティスキームを具現化するために各受信器６１及び６３と共に使用される。このタイプの構成では、ベースバンドプロセッサ５８を使用して２つのＬＴＥデータストリームが同時に受信され処理される。到来するＧＳＭページに対してＧＳＭページングチャンネルを監視することが望まれるときは、ＧＳＭページングチャンネル信号を受信するのにアンテナの一方又は両方が一時的に使用される。
【００５５】
コントロール回路４２は、２つ以上の無線アクセス技術を取り扱うためのソフトウェアを実行するのに使用される。例えば、ベースバンドプロセッサ５８は、ＧＳＭプロトコルスタック７２及びＬＴＥプロトコルスタック７４のような複数のプロトコルスタックを具現化するためのメモリ及びコントロール回路を備えている。従って、プロトコルスタック７２は、ＧＳＭ（一例として）のような第１の無線アクセス技術に関連され、そしてプロトコルスタック７４は、ＬＴＥ（一例として）のような第２の無線アクセス技術に関連している。動作中に、ＵＥ１０６は、ＧＳＭプロトコルスタック７２を使用して、ＧＳＭ機能を取り扱い、そしてＬＴＥプロトコルスタック７４を使用して、ＬＴＥ機能を取り扱う。ＵＥ１０６には、必要に応じて、付加的なプロトコルスタック、付加的なトランシーバ、付加的なアンテナ４０、及び他の付加的なハードウェア及び／又はソフトウェアが使用されてもよい。図５Ａ及び５Ｂの構成は、単なる例示に過ぎない。一実施形態において、プロトコルスタックの一方又は両方を使用して、以下のフローチャートに述べる方法が具現化される。
【００５６】
図５Ａ（又は５Ｂ）の一実施形態では、ＵＥ１０６のコスト及び複雑さは、ＬＴＥ及びＧＳＭの両トラフィックをサポートするためにベースバンドプロセッサ５８及び高周波トランシーバ回路６０が使用される構成を使用して図５Ａ（又は５Ｂ）のワイヤレス回路を具現化することにより最小とされる。
【００５７】
ＧＳＭ無線アクセス技術は、一般的に、ボイストラフィックを搬送するのに使用され、一方、ＬＴＥ無線アクセス技術は、一般的に、データトラフィックを搬送するのに使用される。ＬＴＥデータトラフィックのためにＧＳＭボイスコールが中断されないことを保証するため、ＧＳＭ動作は、ＬＴＥ動作に勝るプライオリティをとる。到来するページング信号のためのＧＳＭページングチャンネルを監視する等の動作が、ＬＴＥ動作を不必要に中断しないよう保証するため、コントロール回路４２は、可能なとき、ワイヤレスリソースがＬＴＥとＧＳＭ機能との間で共有されるようにＵＥ１０６のワイヤレス回路を構成することができる。
【００５８】
ユーザが到来するＧＳＭコールを受けるときに、ＧＳＭネットワークは、ベースステーション１０２を使用してＧＳＭページングチャンネルを経てページング信号（ページとも称される）をＵＥ１０６へ送信する。ＵＥ１０６は、到来するページを検出すると、その到来するＧＳＭコールをセットアップし及び受信するために適当なアクション（例えば、コール確立手順）をとることができる。ページは、典型的に、ネットワークにより一定の間隔で数回送信され、ＵＥ１０６のような装置がページを首尾良く受信する数回の機会をもてるようにする。
【００５９】
適切なＧＳＭページ受信は、ＵＥ１０６のワイヤレス回路がＧＳＭページングチャンネルに周期的にチューニングされることを要求し、これは、チューンアウェイ動作と称される。トランシーバ回路６０がＧＳＭページングチャンネルにチューニングし損なうか、又はベースバンドプロセッサ５８のＧＳＭプロトコルスタック７２が到来するページに対してページングチャンネルを監視し損なう場合には、ＧＳＭページを見失う。他方、ＧＳＭページングチャンネルの過剰な監視は、アクティブなＬＴＥデータセッションに悪影響を及ぼす。本発明の実施形態は、以下に述べるように、チューンアウェイ動作を取り扱うための改善された方法を含む。
【００６０】
ある実施形態では、ＵＥ１０６が節電を行うために、ＧＳＭ及びＬＴＥプロトコルスタック７２及び７４がアイドルモード動作をサポートする。又、プロトコルスタック７２及び７４の一方又は両方は、不連続受信（ＤＲＸ）モード及び／又は接続不連続受信（ＣＤＲＸ）モードをサポートする。ＤＲＸモードは、受信すべきデータ（又はボイス）がないときＵＥ回路の少なくとも一部分をパワーダウンするモードを指す。ＤＲＸ及びＣＲＤＸモードでは、ＵＥ１０６は、ベースステーション１０２と同期し、そして指定の時間又は間隔でネットワークを聴取するようにウェイクアップする。ＤＲＸは、ＵＭＴＳ、ＬＴＥ（ロング・ターム・エボリューション）、ＷｉＭＡＸ、等の多数のワイヤレス規格に存在する。「アイドルモード」、「ＤＲＸ」及び「ＣＤＲＸ」という用語は、少なくとも、通常の意味を完全に含むことが明確に意図され、そして同様のタイプのモードを将来の規格で包含することも意図される。
【００６１】
第１のＲＡＴの測定と第２のＲＡＴのページングとの衝突の解消
上述したように、ＵＥは、単一無線（例えば、単一送信チェーン及び単一受信チェーンを有する）を使用し、２つの異なるＲＡＴを使用して通信を行う。例えば、ＵＥは、単一無線を使用し、第１のＲＡＴを使用して通信を行い、そして周期的にチューンアウェイを行って、ページデコーディング、測定、同期、等の、第２のＲＡＴに対する種々のアクションを遂行する。無線は、ＵＥに対する単一のセルラー無線でもよいし、又は複数のセルラー無線の１つでもよいことに注意されたい。複数無線の実施形態では、例えば、第１のＲＡＴ及び第２のＲＡＴの時分割のためにセルラー無線の１つが使用される一方、他のセルラー無線は、消費電力の理由でディスエイブルされるか、又は他の目的に使用される。更に、ＵＥは、必要に応じて、デュアルＳＩＭデュアルアクティブ（ＤＳＤＡ）及び／又はデュアルＳＩＭデュアルスタンバイ（ＤＳＤＳ）を実施する。
【００６２】
ある実施形態では、第１のＲＡＴがＬＴＥであり且つ第２のＲＡＴがＧＳＭであるか、或いは第１のＲＡＴがＧＳＭであり且つ第２のＲＡＴがＬＴＥであるが、ＲＡＴの他の組み合わせも考えられる。あるケースでは、典型的に、周期的にチューンアウェイを行い、種々の動作、例えば、第２のＲＡＴに対するページデコーディング及び／又は同期を行う（例えば、第２のＲＡＴの現在ベースステーションの隣接ベースステーションに対して）。以下、第１のＲＡＴは、ＬＴＥとして説明し、第２のＲＡＴは、ＧＳＭとして説明するが、それらの説明は、いずれも、必要に応じて他のＲＡＴにも適用できる。
【００６３】
ＣＤＭＡ  ２０００  １ｘとの比較において、ＧＳＭのＳＲＬＴＥは、著しい相違を有する。例えば、ＧＳＭチューンアウェイ（例えば、ページデコーディングに対する）は、一般的に５．２１ｓに一度である１ｘチューンアウェイよりも１０倍も頻繁である。加えて、ほとんどの場合に、各ＧＳＭチューンアウェイの期間は、非常に短く、例えば、１０−２０ミリ秒であるが、１ｘチューンアウェイの期間は、９０−１００ミリ秒である。
【００６４】
頻繁なＧＳＭチューンアウェイの性質のため、割り込み不能なＬＴＥ動作の間にチューンアウェイ要求が生じる可能性が高くなる。例えば、ＬＴＥ接続モードでは、測定ギャップが６ｍｓの長さであり、これは、他の可能性の中で、インター周波数ＬＴＥセル及びインターＲＡＴセルのサーチ／測定に使用される。ある場合には、例えば、ギャップ設定時間（例えば、現在周波数から及び現在周波数へチューン及びチューンバックされる周波数に対する高周波スクリプトの準備、実際の高周波構成及び高周波チューニングのための）、高周波サンプルの収集、高周波構成及び高周波チューンバックを含めて、全測定ギャップ動作の完了に約１５−２１ｍｓを要する。ある場合には、これらの測定ギャップ動作中にＧＳＭチューンアウェイ要求が生じる場合には、測定ギャップ動作が終了するまでＧＳＭチューンアウェイが遅延される。しかしながら、ＧＳＭページ検出が１０ｍｓだけであるから、そのような遅延は、典型的に、ＧＳＭページの欠落を招く。
【００６５】
従って、ＧＳＭチューンアウェイ要求に対する応答時間をスピードアップすると共に、ＬＴＥ性能への影響を最小にするために、次の実施形態の１つ以上が具現化される。
【００６６】
例えば、ＬＴＥ測定ギャップのスタートの前にＧＳＭチューンアウェイ要求が生じる場合には、ＧＳＭチューンアウェイが高いプライオリティとなり、ＧＳＭチューンアウェイを遂行するのに同じ測定ギャップが使用される。１つの実施形態では、このプロセスは、ＧＳＭに関連した周波数へのチューンアウェイ及びそのＧＳＭ周波数からのチューンバックに対する高周波スクリプトを準備することを含む。従って、ＧＳＭページの時間に、高周波回路は、ＧＳＭ周波数へチューニングされ、そして例えば、ページデコーディングを遂行するためにＧＳＭサンプルが収集される。その後、インター周波数及び／又はインターＲＡＴセルが（例えば、ＬＴＥに対して）測定ギャップのための検出／測定を保留する場合には、高周波回路がインター周波数ＬＴＥセル又はインターＲＡＴセルの周波数へ直接チューニングされ、そしてＬＴＥの測定が遂行される。このケースでは、無線は、（例えば、ＬＴＥのデータ通信のための）通常のサービング周波数へ、次いで、測定周波数へチューニングされるのではなく、測定周波数へ直接チューニングされる。測定後に、無線は、通常の動作のためにＬＴＥのサービング周波数へチューンバックされる。
【００６７】
別のケースでは、ＧＳＭチューンアウェイ要求がＬＴＥの測定ギャップの間に生じる。ある実施形態では、ＧＳＭチューンアウェイは、インター周波数及び／又はインターＲＡＴサンプル収集が完了した直後にスケジュールされる。特に、ＬＴＥサービング周波数へチューニングバックするのではなく、無線は、例えば、ＧＳＭページフレームサンプルを収集するためにＧＳＭ周波数へ直接チューニングされる。充分なＧＳＭサンプルを収集した後に、無線は、例えば、通常の測定ギャップ完了時に、ＬＴＥサービング周波数へチューンバックされる。
【００６８】
従って、１つの実施形態では、（例えば、ページングに対する）ＧＳＭチューンアウェイとのＬＴＥ測定ギャップの衝突のシナリオに対し、測定ギャップの一部分としてインター周波数及び／又はインターＲＡＴ周波数へチューニングする前後にＧＳＭチューンアウェイが挿入される。その結果、ＬＴＥ通常受信及び送信への割り込みが最小になる。というのは、ネットワークは、通常、測定ギャップの周りでグラント／ＭＣＳをスケジュールすることがほとんどなく、従って、この測定ギャップの周りでのＧＳＭチューンアウェイは、ＬＴＥのスループット性能にあまり影響を及ぼさないからである。更に、インター周波数及び／又はインターＲＡＴセル検出及び測定の通常のスケジュールが維持される。付加的な利点として、ＧＳＭチューンアウェイは、測定ギャップと背中合わせに行われ、過剰な高周波回路チューニングオーバーヘッドを排除することができる。
【００６９】
図６：第１及び第２のＲＡＴのチューンアウェイ間の衝突の解消
図６は、第１のＲＡＴ及び第２のＲＡＴに対するチューンアウェイ間の衝突を解消する方法を示すフローチャートである。この方法は、第１のＲＡＴ及び第２のＲＡＴ（例えば、ＬＴＥ及びＧＳＭであるが、ＲＡＴの他の組み合わせも考えられる）の両方に対し第１無線を使用するＵＥ装置（例えば、ＵＥ１０６）により遂行される。図６に示す方法は、他の装置の中でも、添付図面に示すシステム又は装置のいずれかに関連して使用されるものである。種々の実施形態において、図示された方法の幾つかの要素は、同時に遂行されてもよいし、図示されたものとは異なる順序で遂行されてもよいし、又は省略されてもよい。必要に応じて、付加的な方法要素も遂行できることに注意されたい。この方法は、次のように遂行される。
【００７０】
図示されたように、６０２において、ＵＥは、第１のＲＡＴのチューンアウェイ（例えば、インターセル測定、インターＲＡＴ測定のような測定、及び／又は他の測定に対する）が第２のＲＡＴのチューンアウェイ（例えば、ページデコーディングに対する）と衝突するかどうか決定する。この衝突の決定は、状況に応じて、チューンアウェイの前に行ってもよいし、又はそれがスタートした後に行ってもよい。例えば、図６に特に適用できる実施形態では、この決定は、第１のＲＡＴのチューンアウェイが既にスタートした間に行われる。例えば、ＵＥは、第１のＲＡＴに対して測定（例えば、ＬＴＥ測定）を遂行し、そしてこの測定プロセスがスタートした後に第２のＲＡＴに対してページデコーディング（例えば、ＧＳＭに対するページデコーディング）を遂行することが必要になる。
【００７１】
６０２の決定が衝突を示す場合には、６０４において、ＵＥは、第１無線を、第１のＲＡＴの第１周波数（例えば、サービング周波数）から、第２のＲＡＴのチューンアウェイ動作を遂行するために第２のＲＡＴの周波数へ、ではなくて、第１のＲＡＴの第２周波数（例えば、測定を遂行するための）へチューニングする。１つの実施形態では、ＵＥは、例えば、サービングベースステーション又は第１のＲＡＴの隣接ベースステーションからサンプルを収集する。
【００７２】
６０６において、例えば、第１のＲＡＴに関連した測定を遂行するために、第１のＲＡＴの第２周波数へチューニングした後に、第１無線は、第２のＲＡＴのチューンアウェイ手順のために第２のＲＡＴの第１周波数へチューニングされる（例えば、第２のＲＡＴに関連したページデコーディングを遂行するために）。１つの実施形態において、第１のＲＡＴの第２周波数から第２のＲＡＴの第１周波数へのチューニングは、第１のＲＡＴの第１周波数のような中間周波数へチューニングすることなく、直接遂行される。
【００７３】
ある実施形態では、ＵＥは、サンプルの収集及びそれらのサンプルのデコーディングを「パイプライン化」する。例えば、第１のＲＡＴの測定を遂行するために６０４においてサンプルが収集された場合には、それらは、６０６又は６０８の間にデコードされるのであって、第２のＲＡＴの周波数へ移行又はチューニングされてその関連チューンアウェイ手順を遂行する前にデコーディングを完了するのではない。
【００７４】
６０８において、第２のＲＡＴのチューンアウェイ手順を完了した後に、ＵＥは、第１無線を、第１のＲＡＴ、例えば、第１のＲＡＴの第１周波数（サービング周波数）へチューンバックする。
【００７５】
図７Ａ及び７Ｂ：
図７Ａ及び７Ｂは、図６の方法の１つの実施形態に対応する規範的な図である。特に、図７Ａ及び７Ｂは、第１のＲＡＴのチューンアウェイ動作中に第２のＲＡＴのチューンアウェイ要求が受け取られるケースを示している。特に、図７Ａにおいて、ＵＥは、第１のＲＡＴに対して第１周波数（Ｆ０、例えば、第１のＲＡＴのサービング周波数）から第２周波数（Ｆ１、例えば、第１のＲＡＴのインターセル測定のための）へのチューンアウェイを遂行する。ＵＥの無線が第２周波数（Ｆ１）にチューニングされている間に第２のＲＡＴのチューンアウェイ要求が受け取られる（例えば、ページデコーディングのための）。図７Ａにおいて、無線は、第１のＲＡＴの第１周波数（Ｆ０）へチューンバックされ、次いで、チューンアウェイ動作のために第２のＲＡＴの周波数（Ｆ３）へチューニングされる。チューンアウェイ動作を完了した後に、無線は、Ｆ０へチューンバックされる。
【００７６】
対照的に、図７Ｂでは、第１のＲＡＴの第２周波数（Ｆ１）と第２のＲＡＴの周波数（Ｆ３）との間でＦ０にチューンバックするのではなく、無線は、第１のＲＡＴの第２周波数（Ｆ１）から第２のＲＡＴの周波数（Ｆ３）へ直接チューニングされる。図示されたように、図７Ｂでは、第２のＲＡＴのチューンアウェイ動作は、図７Ａより早くに遂行することができる。
【００７７】
図８：第１及び第２のＲＡＴのチューンアウェイ間の衝突の解消
図８は、第１のＲＡＴ及び第２のＲＡＴに対するチューンアウェイ間の衝突を解消する方法を示すフローチャートである。この方法は、第１のＲＡＴ及び第２のＲＡＴ（例えば、ＬＴＥ及びＧＳＭであるが、ＲＡＴの他の組み合わせも考えられる）の両方に対し第１無線を使用するＵＥ装置（例えば、ＵＥ１０６）により遂行される。図８に示す方法は、他の装置の中でも、添付図面に示すシステム又は装置のいずれかに関連して使用されるものである。種々の実施形態において、図示された方法の幾つかの要素は、同時に遂行されてもよいし、図示されたものとは異なる順序で遂行されてもよいし、又は省略されてもよい。必要に応じて、付加的な方法要素も遂行できることに注意されたい。この方法は、次のように遂行される。
【００７８】
図示されたように、８０２において、ＵＥは、第１のＲＡＴのチューンアウェイ（例えば、インターセル測定、インターＲＡＴ測定のような測定、及び／又は他の測定に対する）が第２のＲＡＴのチューンアウェイ（例えば、ページデコーディングに対する）と衝突するかどうか決定する。この衝突の決定は、チューンアウェイの前に行ってもよいし、又はそれがスタートした後に行ってもよい。例えば、図８に特に適用できる実施形態では、この決定は、第１のＲＡＴに対してチューンアウェイを開始する前に行われる。例えば、ＵＥは、（例えば、ＧＳＭに対するページデコーディングを遂行するための）第２のＲＡＴに対するチューンアウェイを遂行する要求を、（例えば、ＬＴＥ測定を遂行するための）第１のＲＡＴに対するチューンアウェイを開始する前に、受け取る。
【００７９】
８０２の決定が衝突を示す場合には、８０４において、ＵＥは、第１無線を、第１のＲＡＴの第１周波数（例えば、サービング周波数）から、第２のＲＡＴの第１周波数（例えば、ページデコーディングを遂行するための）へチューニングする。ある実施形態では、ＵＥは、第２のＲＡＴの第１周波数からサンプルを収集する（例えば、ＵＥに対するページを検出するために）。
【００８０】
８０６において、例えば、ページデコーディングを遂行するために第２のＲＡＴの第１周波数へチューニングした後に、無線は、第１のＲＡＴのチューンアウェイ手順に対して第１のＲＡＴの第２周波数へチューニングされる（例えば、ＬＴＥ測定を遂行するために）。ある実施形態では、第２のＲＡＴの第１周波数から第１のＲＡＴの第２周波数へのチューニングは、第１のＲＡＴの第１周波数のような中間周波数へチューニングすることなく、直接遂行される。
【００８１】
ある実施形態では、ＵＥは、サンプルの収集及びそれらのサンプルのデコーディングを「パイプライン化」する。例えば、第２のＲＡＴのページデコーディングを遂行するために６０４においてサンプルが収集された場合には、それらは、６０６又は６０８の間にデコードされる（又は、例えば、ページングの検出に使用される）のであって、第１のＲＡＴの周波数へ移行又はチューニングされてその関連チューンアウェイ手順を遂行する前にデコーディング又は検出を完了するのではない。
【００８２】
８０８において、第１のＲＡＴのチューンアウェイ手順を完了した後に、ＵＥは、第１無線を、第１のＲＡＴ、例えば、第１のＲＡＴの第１周波数（サービング周波数）へチューンバックする。
【００８３】
図９Ａ及び９Ｂ：
図９Ａ及び９Ｂは、図８の方法の１つの実施形態に対応する規範的な図である。特に、図９Ａ及び９Ｂは、第１のＲＡＴのチューンアウェイ動作の前に第２のＲＡＴのチューンアウェイ要求が受け取られるケースを示している。特に、図９Ａにおいて、第２のＲＡＴのチューンアウェイが遅延される。特に、ＵＥは、第１のＲＡＴに対して第１周波数（Ｆ０、例えば、第１のＲＡＴのサービング周波数）から第２周波数（Ｆ１、例えば、第１のＲＡＴのインターセル測定のための）へのチューンアウェイを遂行する。次いで、図７Ａにおいて、無線は、第１のＲＡＴの第１周波数（Ｆ０）へチューンバックされ、次いで、チューンアウェイ動作のために第２のＲＡＴの周波数（Ｆ３）へチューニングされる。チューンアウェイ動作を完了した後に、無線は、Ｆ０へチューンバックされる。
【００８４】
対照的に、図７Ｂでは、第１のＲＡＴのチューンアウェイ動作を遂行するのではなく、第２のＲＡＴのチューンアウェイ動作が遂行される。特に、第１のＲＡＴのチューンアウェイ動作に対してＦ１へチューニングする前にチューンアウェイ要求が受け取られる。従って、第２のＲＡＴのチューンアウェイ動作が最初に遂行され、無線は、第１のＲＡＴの第１周波数（Ｆ０）からチューンアウェイ動作のための第２のＲＡＴの周波数（Ｆ３）へチューニングされる。次いで、第１のＲＡＴの第１周波数へチューンバックするのではなく、無線は、第１のＲＡＴのチューンアウェイ動作を遂行するために第１のＲＡＴの第２周波数（Ｆ２）へ直接チューニングされる。第１のＲＡＴのチューンアウェイ動作が完了した後に、無線は、第１のＲＡＴの第１周波数（Ｆ０）へチューンバックされる。
【００８５】
第１のＲＡＴの測定における第２のＲＡＴのページデコーディングの挿入
上述したように、ＵＥは、単一無線（例えば、単一送信チェーン及び単一受信チェーンを有する）を使用し、２つの異なるＲＡＴを使用して通信する。例えば、ＵＥは、単一無線を使用し、第１のＲＡＴを使用して通信を行い、そして周期的に、チューンアウェイを行って、ページデコーディング、測定、同期、等の、第２のＲＡＴに対する種々のアクションを遂行する。無線は、ＵＥに対する単一のセルラー無線でもよいし、又は複数のセルラー無線の１つでもよいことに注意されたい。複数無線の実施形態では、例えば、第１のＲＡＴ及び第２のＲＡＴの時分割のためにセルラー無線の１つが使用され、一方、他の無線は、スリープであるか又は他の目的に使用される。更に、ＵＥは、必要に応じて、デュアルＳＩＭデュアルアクティブ（ＤＳＤＡ）及び／又はデュアルＳＩＭデュアルスタンバイ（ＤＳＤＳ）を実施する。
【００８６】
１つの実施形態では、第１のＲＡＴがＬＴＥでありそして第２のＲＡＴがＧＳＭであるか、或いは第１のＲＡＴがＧＳＭで且つ第２のＲＡＴがＬＴＥであるが、ＲＡＴの他の組み合わせも考えられる。あるケースでは、典型的に、チューンアウェイを周期的に行って、第２のＲＡＴに対する同期を遂行してもよい（例えば、第２のＲＡＴの現在ベースステーションの隣接ベースステーションに対して）。以下、第１のＲＡＴは、ＬＴＥとして説明し、第２のＲＡＴは、ＧＳＭとして説明するが、それらの説明は、いずれも、必要に応じて、他のＲＡＴに適用してもよい。
【００８７】
ＣＤＭＡ２０００  １ｘに比較して、ＧＳＭのＳＲＬＴＥは、顕著な相違がある。例えば、ＧＳＭチューンアウェイ（例えば、ページデコーディングのための）は、５．２１ｓに一度である１ｘチューンアウェイより１０倍も頻度が高い（例えば、少なくとも４７０ｍｓに一度）。更に、ほとんどのケースでは、各ＧＳＭチューンアウェイの期間は、非常に短くて、例えば、１０−２０ｍｓであるが、ほとんどのケースでは、１ｘチューンアウェイの期間は、９０−１００ミリ秒である。
【００８８】
頻繁なＧＳＭチューンアウェイの性質のために、割り込み不能なＬＴＥ動作の間にチューンアウェイ要求が生じる可能性が高くなる。例えば、ＬＴＥアイドルモードでは、ＬＴＥ隣接セルのサーチ及び／又は測定が割り込み不能の動作として分類される。従って、ＬＴＥ隣接セルのサーチ及び／又は測定中にＧＳＭチューンアウェイ要求が生じる場合には（例えば、ＧＳＭページデコーディングのために）、ＧＳＭのチューンアウェイは、測定動作が完了するまでほぼ３０ｍｓ遅延される。これは、１ｘチューンアウェイの場合には受け容れられるが、ＧＳＭページングの期間が短くなるためにＧＳＭページ欠落率が高くなる。
【００８９】
従って、ＬＴＥアイドルモードにおいてＧＳＭチューンアウェイ要求を拒絶し得る割り込み不能なＬＴＥサーチ及び／又は測定アクティビティによるＧＳＭページ欠落率を減少するために、ＬＴＥサーチ及び／又は測定が、異なるステージでのより小さな原子的動作へと更に分割される。特に、ＧＳＭチューンアウェイ期間は、非常に短い（例えば、ほぼ１０−２０ｍｓ）ので、ＬＴＥ性能を著しく低下せずにＬＴＥサーチ及び／又は測定ステージ間に追加することができる。
【００９０】
ＬＴＥアイドルモードでは、隣接セルサーチは、イントラセルサーチ、インター周波数セルサーチ、及びインターＲＡＴセルサーチを含む。イントラセルサーチは、半フレームでのサービングセルサンプル収集、及びその中でのＰＳＳ／ＳＳＳ（一次同期信号／二次同期信号）検出を含む。インター周波数セルサーチは、インター周波数でのチューニング、半フレームでのインター周波数セルサンプル収集、及びその中でのＰＳＳ／ＳＳＳ検出の複数のサイクルを含む。インターＲＡＴセルサーチは、インターＲＡＴ周波数でのチューニング、インターＲＡＴセルサンプル収集、及びその中でのインターＲＡＴセルシグネチャーサーチの複数のサイクルを含む。
【００９１】
１つの実施形態において、ＬＴＥ隣接セルサーチの中間でＧＳＭチューンアウェイ要求が生じる場合には、次のイントラ／インター周波数／インターＲＡＴ周波数チューニングの直前にＧＳＭチューンアウェイが挿入される。例えば、周波数Ｆ１セルサーチに対してインター周波数Ｆ１でのチューニングにおいてＧＳＭチューンアウェイ要求が生じる場合には、周波数Ｆ１でサンプル収集が完了した後に、高周波回路をＧＳＭ周波数にチューニングしてＧＳＭサンプルを（例えば、ページデコーディングのために）収集できる一方、その間に、周波数Ｆ１で収集されたサンプルにおいてインター周波数Ｆ１セルサーチを遂行することができる。ＧＳＭサンプル収集が完了すると、高周波回路を次のインター周波数Ｆ２へチューニングしてＦ２でサンプルを収集できる一方、ＧＳＭサンプルをＧＳＭページデコーディングのためにＧＳＭへ通すことができる。この実施形態は、ＧＳＭチューンアウェイをセルサーチ手順の一部分として有効に行うことができ、唯一の相違は、ＧＳＭチューンアウェイで収集されたＧＳＭサンプルが、通常のセルシグネチャー検出ではなく、ＧＳＭページデコーディングに使用されることである。
【００９２】
１つの実施形態では、ＬＴＥアイドルモードにおいて、隣接セル測定は、イントラセル測定、インター周波数セル測定、及びインターＲＡＴセル測定を含む。各タイプの測定は、関連周波数での高周波チューニング及びサンプルの収集と、それに続く、サンプル内の基準信号電力／エネルギの測定とを含む。ＬＴＥに対して全測定動作が完了するまで遅延するのではなく、関連測定周波数に対する次の高周波チューニングの直前にＧＳＭチューンアウェイを挿入することができる。例えば、周波数Ｆ３のＧＳＭチューンアウェイでのＬＴＥに対する周波数Ｆ１のセルの測定は、ＬＴＥに対するＦ２へのチューニングの直前に挿入することができ、例えば、Ｆ１→Ｆ３（ＧＳＭ）→Ｆ２である。この実施形態は、ＧＳＭチューンアウェイをＬＴＥに対するセル測定手順の一部分として有効に行う（例えば、測定動作中にＧＳＭページングが生じるのに応答して）が、ＧＳＭチューンアウェイで収集されたＧＳＭサンプルは、セル基準信号の測定に通常のように使用されるのではなく、ＧＳＭページデコーディングに使用される。以下の周波数パターンは、一例に過ぎない：Ｆ０→Ｆ３（ＧＳＭ）→Ｆ１→Ｆ２（例えば、Ｆ１がチューニングされる前にＧＳＭが到来するか又はＦ３に対してＦ１をキャンセルしそしてＦ３の後にＦ１を再開する場合）、Ｆ０→Ｆ１→Ｆ３（ＧＳＭ）→Ｆ２（例えば、Ｆ１が既にチューニングされた後にＧＳＭが到来するか、又はＦ１が完了しそして完了後にＧＳＭが挿入される場合）。
【００９３】
ＧＳＭチューンアウェイは、イントラセルＬＴＥ測定の間に生じることがある。例えば、無線は、ＧＳＭ要求が生じたときにイントラセルＬＴＥ測定を遂行しながらサービングセルの周波数Ｆ０にチューニングされる。１つの実施形態において、無線は、ＧＳＭ手順（例えば、ページデコーディング）を遂行し、次いで、Ｆ０にチューンバックして、イントラセルＬＴＥ測定を完了するためにＧＳＭに直ちにチューニングする。或いは又、ＧＳＭ手順を完了した後、無線は、必要に応じて、Ｆ０に戻るのではなく、インターセル又はインターＲＡＴ測定を遂行する。この場合、無線は、必要に応じて、後でＦ０にチューンバックして、イントラセル測定を完了させる。以下の周波数パターンは、一例に過ぎない：Ｆ０→Ｆ３（ＧＳＭ）→Ｆ０→Ｆ１→Ｆ２→、等；Ｆ０→Ｆ３（ＧＳＭ）→Ｆ１→Ｆ２→・・・Ｆ０；Ｆ３（ＧＳＭ）→Ｆ０→Ｆ１→Ｆ２→、等。
【００９４】
これら実施形態は、ＧＳＭチューンアウェイ最大遅延を約５ｍｓまで短縮し、これは、ＬＴＥ半フレームサンプルを収集するのに使用される。これらの実施形態は、セルサーチ及び／又は測定がＬＴＥに対して進行中であるときにＧＳＭチューンアウェイを拒絶することによるＧＳＭページ欠落率を劇的に減少することができる。
【００９５】
図１０：第１のＲＡＴのイントラセル測定への第２のＲＡＴのチューンアウェイの挿入
図１０は、第１のＲＡＴの測定内に第２のＲＡＴのページデコーディング（又は他の手順）を挿入する方法を示すフローチャートである。図１０の方法は、第１のＲＡＴ及び第２のＲＡＴ（例えば、ＬＴＥ及びＧＳＭであるが、ＲＡＴの他の組み合わせも考えられる）の両方に対し第１無線を使用するＵＥ装置（例えば、ＵＥ１０６）により遂行される。図９に示す方法は、他の装置の中でも、添付図面に示すシステム又は装置のいずれかに関連して使用されるものである。種々の実施形態において、図示された方法の幾つかの要素は、同時に遂行されてもよいし、図示されたものとは異なる順序で遂行されてもよいし、又は省略されてもよい。必要に応じて、付加的な方法要素も遂行できることに注意されたい。この方法は、次のように遂行される。
【００９６】
１００２において、ＵＥは、第１のＲＡＴの第１周波数においてイントラセル測定を遂行する。例えば、ＵＥは、アイドルモードからウェイクし、第１のＲＡＴの第１セルにおいて第１周波数で動作し、次いで、第１のＲＡＴのイントラセル測定を遂行する。
【００９７】
１００４において、ＵＥは、例えば、ＵＥが第１のＲＡＴの第１周波数にチューニングされてイントラセル測定動作を遂行する間に第２のＲＡＴの周波数へのチューンアウェイを遂行する要求を受け取る。この要求は、第１のＲＡＴのイントラセル測定動作の完了前に受け取られる。
【００９８】
１００６において、第２のＲＡＴからのチューンアウェイ要求に応答して、ＵＥは、第２のＲＡＴに対するチューンアウェイ動作を遂行する。より詳細には、ＵＥは、第１無線を第１のＲＡＴの第１周波数から第２のＲＡＴの周波数へチューニングして、チューンアウェイ動作（例えば、第２のＲＡＴのためのページデコーディング）を遂行する。ある実施形態では、チューンアウェイ動作は、第２のＲＡＴの周波数に対してサンプルを収集し、次いで、それらサンプルのサーチ又は分析を遂行することを含む。ある実施形態では、ＵＥは、チューンアウェイ要求に応答して第２のＲＡＴの周波数へ直ちにチューンアウェイする（例えば、実質的な遅延を伴わずに）。或いは又、ＵＥは、サンプルの収集がほとんど完了したケース等で、例えば、サンプルがまだ収集されている場合に短い遅延を導入することがある。
【００９９】
１００６の後の１００８において、第１のＲＡＴに対するイントラセル測定動作が完了する。ある実施形態では、イントラセル測定動作の完了は、第１のＲＡＴのチューンアウェイ動作の直後となる。或いは又、第１のＲＡＴのチューンアウェイ動作の後に、第１のＲＡＴに対して他の測定動作（例えば、インターセル又はインターＲＡＴ）が遂行される。例えば、第２のＲＡＴのチューンアウェイ動作の後に第１のＲＡＴの第１周波数（例えば、サービング周波数）へチューンバックするのではなく、ＵＥの無線は、例えば、インターセル測定のために第１のＲＡＴの第２周波数へチューニングされる。これら他の測定動作の後に、無線は、第１周波数へチューンバックして、イントラセル測定を完了する。
【０１００】
ある実施形態では、サンプルの収集（例えば、第１のＲＡＴの種々の測定及び／又は第２のＲＡＴのチューンアウェイ動作のための）及びその収集したサンプルの分析がパイプライン化される。例えば、ある周波数に対してサンプルを収集し、そして直ちに、無線が新たな周波数にチューニングされて付加的なサンプルを収集すると同時に、以前の周波数に対するサンプルを分析して、プロセス全体の効率を高める。
【０１０１】
図１１Ａ及び１１Ｂ
図１１Ａ及び１１Ｂは、図１０の方法の一実施形態に対応する規範的な図である。特に、図１１Ａ及び１１Ｂは、第１のＲＡＴに対するイントラセル測定の間に第２のＲＡＴのチューンアウェイ要求が受け取られるケースを示している。
【０１０２】
特に、図１１Ａに示すように、ＵＥは、最初、アイドルモードにあり、次いで、第１のＲＡＴのサービング周波数（Ｆ０）へチューニングする。サービング周波数では、ＵＥは、イントラセル測定を遂行する。この時間中に、ＵＥは、第２のＲＡＴのチューンアウェイ要求を受け取る。この場合、ＵＥは、イントラセル測定を完了し、周波数Ｆ１及びＦ２でのインターセル及び／又はインターＲＡＴ測定を行うように続く。その後、ＵＥは、第１のＲＡＴのサービング周波数（Ｆ０）へチューンバックし、次いで、Ｆ３へチューニングして、第２のＲＡＴのチューンアウェイ動作を遂行する。
【０１０３】
図１１Ｂには、同様の状態が示されている。しかしながら、図１１Ｂでは、第２のＲＡＴに対してチューンアウェイ要求が受け取られたときに、ＵＥは、無線を第１のＲＡＴのサービング周波数から第２のＲＡＴの周波数（Ｆ３）へチューニングし、チューンアウェイ動作（例えば、ページデコーディング）を遂行する。次いで、ＵＥは、無線を直接Ｆ１へチューニングし、続いて、Ｆ２へチューニングし、第１のＲＡＴに対するインターセル及び／又はインターＲＡＴ測定を遂行する。次いで、ＵＥは、Ｆ０へチューンバックし、例えば、第１のＲＡＴのイントラセル測定を完了する。
【０１０４】
図１２：第１のＲＡＴに対するインターセル及び／又はインターＲＡＴ測定への第２のＲＡＴのチューンアウェイの挿入
図１２は、第１のＲＡＴの測定内に第２のＲＡＴのページデコーディング（又は他の手順）を挿入する方法のフローチャートである。図１２の方法は、第１のＲＡＴ及び第２のＲＡＴ（例えば、ＬＴＥ及びＧＳＭであるが、ＲＡＴの他の組み合わせも考えられる）の両方に対し第１無線を使用するＵＥ装置（例えば、ＵＥ１０６）により遂行される。図９に示す方法は、他の装置の中でも、添付図面に示すシステム又は装置のいずれかに関連して使用されるものである。種々の実施形態において、図示された方法の幾つかの要素は、同時に遂行されてもよいし、図示されたものとは異なる順序で遂行されてもよいし、又は省略されてもよい。必要に応じて、付加的な方法要素も遂行できることに注意されたい。この方法は、次のように遂行される。
【０１０５】
１２０２において、ＵＥは、第１のＲＡＴに対するインターセル測定及び／又はインターＲＡＴ動作を遂行する。インターセル及び／又はインターＲＡＴ測定動作の遂行は、第１のＲＡＴの新たな周波数（例えば、第１のＲＡＴの隣接セルに対応する）へ第１無線をチューニングし、そして第１のＲＡＴのその新たな周波数で測定を遂行することにより、第１のＲＡＴの異なる周波数で測定動作を繰り返し遂行することを含む。インターセル及び／又はインターＲＡＴ測定動作は、例えば、第１周波数（例えば、“Ｆ１”）、第２周波数（例えば、“Ｆ２”）、等を含む複数の周波数に対して遂行される。インターセル測定の場合に、これら周波数の各々は、第１のＲＡＴ、例えば、第１のＲＡＴのベースステーションに関連している。
【０１０６】
１２０４において、ＵＥは、例えば、ＵＥが１１０２の複数の周波数のうちの周波数にチューニングされている間に、第２のＲＡＴの周波数へのチューンアウェイを遂行する要求を受け取る。例えば、その要求は、第２のＲＡＴに対するページデコーディングを遂行するためのものである。
【０１０７】
１２０６において、第２のＲＡＴからのチューンアウェイ要求に応答して、ＵＥは、第２のＲＡＴに対するチューンアウェイ動作を遂行する。より詳細には、ＵＥは、第１無線を、第１のＲＡＴの測定動作に関連した複数の周波数のうちの現在周波数から、第２のＲＡＴの周波数へチューニングして、第２のＲＡＴのチューンアウェイ動作（例えば、第２のＲＡＴに対するページデコーディング）を遂行する。ある実施形態では、チューンアウェイ動作は、第２のＲＡＴの周波数に対するサンプルを収集し、次いで、それらサンプルのサーチ又は分析を遂行することを含む。ある実施形態では、ＵＥは、チューンアウェイ要求に応答して第２のＲＡＴの周波数へ直ちにチューンアウェイする（例えば、実質的な遅延を伴わずに）。或いは又、ＵＥは、サンプルの収集がほとんど完了したケース等で、例えば、サンプルがまだ収集されている場合に短い遅延を導入することがある。
【０１０８】
１２０６の後の１２０８において、ＵＥは、インターセル測定を遂行するように続く。より詳細には、ＵＥは、第１無線を、第２のＲＡＴの周波数から、第１のＲＡＴに関連した測定を遂行するための複数の周波数の１つへチューニングする。１つの実施形態では、ＵＥは、第１無線を、１２０６においてチューンアウェイされた周波数へチューニングする（例えば、その周波数に対して測定が完了していない場合）。或いは又、ＵＥは、第１無線を複数の周波数のうちの次の周波数へチューニングして、第１のＲＡＴに関連した測定を遂行するように続ける（例えば、以前の周波数が既に完了した場合、及び／又はそうではないが、周波数の完了が生じる必要がないか及び／又はその後に完了となる場合）。
【０１０９】
前記と同様に、ある実施形態では、サンプルの収集（例えば、第１のＲＡＴの種々の測定及び／又は第２のＲＡＴのチューンアウェイ動作のための）及びその収集したサンプルの分析がパイプライン化される。例えば、ある周波数に対してサンプルを収集し、そして直ちに、無線が新たな周波数にチューニングされて付加的なサンプルを収集すると同時に、以前の周波数に対するサンプルを分析して、プロセス全体の効率を高める。
【０１１０】
図１３Ａ及び１３Ｂ：
図１３Ａ及び１３Ｂは、図１２の方法の一実施形態に対応する規範的な図である。特に、図１３Ａ及び１３Ｂは、第１のＲＡＴに対するインターセル及び／又はインターＲＡＴ測定の間に第２のＲＡＴのチューンアウェイ要求が受け取られるケースを示している。
【０１１１】
特に、図１１Ａに示すように、ＵＥは、最初、アイドルモードにあり、次いで、第１のＲＡＴのサービング周波数（Ｆ０）へチューニングする。ＵＥは、次いで、第１のＲＡＴに対し周波数Ｆ１においてインターセル及び／又はインターＲＡＴ測定を開始する。ＵＥは、Ｆ１にチューニングされる間に、第２のＲＡＴのチューンアウェイ要求を受け取る。このケースでは、ＵＥは、周波数Ｆ１及びＦ２においてインターセル及び／又はインターＲＡＴ測定を完了する。その後、ＵＥは、第１のＲＡＴのサービング周波数（Ｆ０）へチューニングバックし、次いで、Ｆ３へチューニングして、第２のＲＡＴのチューンアウェイ動作を遂行する。
【０１１２】
図１１Ｂには、同様の状態が示されている。しかしながら、図１１Ｂでは、Ｆ１にチューニングされている間に第２のＲＡＴに対してチューンアウェイ要求が受け取られたときに、ＵＥは、無線を第１のＲＡＴのＦ１から、第２のＲＡＴの周波数（Ｆ３）へチューニングして、チューンアウェイ動作（例えば、ページデコーディング）を遂行する。次いで、ＵＥは、無線をＦ２に直接チューニングして、第１のＲＡＴに対するインターセル及び／又はインターＲＡＴ測定を遂行するように続ける。ＵＥは、次いで、Ｆ０へチューンバックする。
【０１１３】
図１１Ｂの例では、ＵＥは、第２のＲＡＴに対してＦ３へチューニングしている間にサンプルにおいて検出を遂行できるに充分なＦ１のサンプルを受け取り、例えば、上述したパイプライン化実施形態をたどる。
【０１１４】
第１のＲＡＴのウオームアップ内への第２のＲＡＴのページデコーディングの挿入
上述したように、ＵＥは、単一無線（例えば、単一送信チェーン及び単一受信チェーンを有する）を使用し、２つの異なるＲＡＴを使用して通信を行う。例えば、ＵＥは、単一無線を使用し、第１のＲＡＴを使用して通信を行い、そして周期的にチューンアウェイを行って、ページデコーディング、測定、同期、等の、第２のＲＡＴに対する種々のアクションを遂行する。無線は、ＵＥに対する単一のセルラー無線でもよいし、又は複数のセルラー無線の１つでもよいことに注意されたい。複数無線の実施形態では、例えば、第１のＲＡＴ及び第２のＲＡＴの時分割のためにセルラー無線の１つが使用される一方、他の無線は、スリープ中であるか、又は他の目的に使用される。或いは又、ＵＥは、必要に応じて、デュアルＳＩＭデュアルアクティブ（ＤＳＤＡ）及び／又はデュアルＳＩＭデュアルスタンバイ（ＤＳＤＳ）を実施する。
【０１１５】
ある実施形態では、第１のＲＡＴがＬＴＥであり且つ第２のＲＡＴがＧＳＭであるか、或いは第１のＲＡＴがＧＳＭであり且つ第２のＲＡＴがＬＴＥであるが、ＲＡＴの他の組み合わせも考えられる。あるケースでは、典型的に、周期的にチューンアウェイを行い、第２のＲＡＴに対する測定及び／又は同期を行う（例えば、第２のＲＡＴの現在ベースステーションの隣接ベースステーションに対して）。以下、第１のＲＡＴは、ＬＴＥとして説明し、第２のＲＡＴは、ＧＳＭとして説明するが、それらの説明は、いずれも、必要に応じて他のＲＡＴにも適用できる。
【０１１６】
ＣＤＭＡ  ２０００  １ｘとの比較において、ＧＳＭのＳＲＬＴＥは、著しい相違を有する。例えば、ＧＳＭチューンアウェイ（例えば、ページデコーディングに対する）は、５．２１ｓに一度である１ｘチューンアウェイより１０倍も頻繁である。加えて、ほとんどの場合に、各ＧＳＭチューンアウェイの期間は、非常に短く、例えば、１０−２０ミリ秒であるが、１ｘチューンアウェイの期間は、９０−１００ミリ秒である。
【０１１７】
ＣＤＲＸ（例えば、ＬＴＥ接続モードにおける）は、送信（例えば、データ送信）がないときにスリープ状態に至らせることによって電力を保存しつつ高速データアクセス応答時間を与える。ＬＴＥに対する典型的なＣＤＲＸサイクルは、３２０ｍｓである。更に、上述したように、ＧＳＭチューンアウェイは、公平な頻度である（例えば、４７０ｍｓに一度）。その結果、結晶発振子のウオームアップ、高周波チェーンの構成、及び時間／周波数トラッキングループ（ＴＴＬ／ＦＴＬ）ウオームアップを含むＬＴＥ  ＣＤＲＸウェイクアップ期間中にＧＳＭチューンアウェイ要求が生じる可能性が高くなる。このＣＤＲＸウェイクアップ期間は、通常、１７ｍｓから２５ｍｓ（例えば、高周波回路ウオームアップの８ｍｓ、ＴＴＬ／ＦＴＬウオームアップの８ｍｓ、及び高周波構成の２−３ｍｓを含めて）を要し、これは、ＧＳＭチューンアウェイが遅延される場合にページデコーディング中にＧＳＭが潜在的なページの欠落を引き起こすに充分な長さである。
【０１１８】
以下の実施形態は、この問題を解消し又は最小限にする。
【０１１９】
結晶発振子のウオームアップは、ＬＴＥのウェイクアップ又はＧＳＭのウェイクアップのいずれにとっても共通である。更に、例えば、ＧＳＭからＬＴＥへのチューンバックに最短の時間しかかからないように、実行時に、高周波チェーンインターフェイスに対してＬＴＥとＧＳＭの高周波構成間の相違しか再構成しないチューンバック高周波スクリプトを生成するためにＬＴＥの高周波チェーン構成も必要となる。
【０１２０】
ＴＴＬ／ＦＴＬウオームアップは、スリープによるＬＴＥ時間追跡エラー及び周波数追跡エラーの再検証に使用される。ウェイクアップ後に正しいタイミング及び周波数でＬＴＥ送信及び受信を行う必要があるが、ＧＳＭチューンアウェイ後までそれが遅延される。従って、高周波ウオームアップ及び高周波構成中にＧＳＭチューンアウェイ要求が起きる場合には、高周波ウオームアップ及び構成は、それが完了するまで遅延される。別のケースでは、ＧＳＭチューンアウェイ要求がＴＴＬ／ＦＴＬウオームアップ中に起きる場合には、ＴＴＬ／ＦＴＬウオームアップがキャンセルされ、そして高周波回路がＧＳＭ周波数に直ちにチューニングされて、ＧＳＭサンプルを収集し、そしてページデコーディングのようなＧＳＭ処理をスタートすることができる。
【０１２１】
従って、高周波回路がＧＳＭからチューンバックされるときに、ＬＴＥ  ＴＴＬ／ＦＴＬウオームアップ手順が再スタートされ、そしてＴＴＬ／ＦＴＬウオームアップの完了後にＬＴＥ送信及び受信が再開される。
【０１２２】
これらの実施形態を具現化することにより、ＧＳＭページの欠落をより少なくしつつ、ＬＴＥの性能低下を最小にすることができる。
【０１２３】
図１４：第１のＲＡＴのウオームアップ内への第２のＲＡＴのチューンアウェイの挿入
図１４は、第１のＲＡＴのウオームアップ内へ第２のＲＡＴのページデコーディング（又は他の手順）を挿入する方法を示すフローチャートである。図１４の方法は、第１のＲＡＴ及び第２のＲＡＴ（例えば、ＬＴＥ及びＧＳＭであるが、ＲＡＴの他の組み合わせも考えられる）の両方に対し第１無線を使用するＵＥ装置（例えば、ＵＥ１０６）により遂行される。図１３に示す方法は、他の装置の中でも、添付図面に示すシステム又は装置のいずれかに関連して使用されるものである。種々の実施形態において、図示された方法の幾つかの要素は、同時に遂行されてもよいし、図示されたものとは異なる順序で遂行されてもよいし、又は省略されてもよい。必要に応じて、付加的な方法要素も遂行できることに注意されたい。この方法は、次のように遂行される。
【０１２４】
１４０２において、ＵＥは、第１のＲＡＴで動作するためにスリープモードからのウェイクアップを開始する。ＵＥは、第１のＲＡＴに対してスリープモードにあり、そしてＵＥは、一般的に、必要に応じて、第１のＲＡＴに関連した回路、第１無線又は第１無線の高周波回路、及び／又はＵＥの他の部分又はコンポーネントを有する。一般的に、１４０２においてウェイクアップする直前に、ＵＥは、第１のＲＡＴを使用して通信を遂行するために第１無線を使用してアクティブになっていない。
【０１２５】
１４０２のウェイクアップ手順は、結晶発振子のウオームアップを遂行し（例えば、結晶発振子に電力を供給し、そしてそれがウオームアップし及び／又は安定化するのを待機し）、高周波回路のウオームアップを遂行し、ＵＥのプロセッサ（例えば、ＣＰＵ）のスタートアップ動作を遂行し、及び／又は追跡ループ動作（例えば、時間追跡ループ及び／又は周波数追跡ループ動作）を遂行して、第１のＲＡＴのベースステーションと動作を同期させる、ことの１つ以上を含む。１つの実施形態では、第１のＲＡＴを使用して通信を行うのに使用される第１クロックを動作するために結晶発振子が使用される。
【０１２６】
１４０４において、１４０２のウオームアップ手順の間に、例えば、第２のＲＡＴに対するページデコーディングを遂行するため、第２のＲＡＴに対してチューンアウェイ要求が受け取られる。
【０１２７】
１４０６において、１４０４のチューンアウェイ要求に応答して、チューンアウェイ動作が遂行される。例えば、ＵＥの第１無線は、チューンアウェイ動作（例えば、ページデコーディング）を遂行するために第２のＲＡＴの周波数にチューニングされる。
【０１２８】
しかしながら、ウェイクアップ手順に対するチューンアウェイ要求の受信のタイミングは、チューンアウェイ動作が遂行されるときに影響を及ぼす。例えば、タイミングループ動作を遂行する前に（例えば、結晶発振子のウオームアップ中、高周波回路のウオームアップ中、及び／又はプロセッサのスタートアップ動作中に）チューンアウェイ要求が受け取られた場合には、チューンアウェイ動作は、ＣＰＵのスタートアップ動作の後であって且つタイミングループ動作の前に遂行される。しかしながら、タイミングループ動作の間にチューンアウェイ要求が受け取られた場合には、タイミングループ動作がキャンセルされ、そして第２のＲＡＴのチューンアウェイ動作が遂行される。このケースでは、タイミングループ動作は、第２のＲＡＴのチューンアウェイ動作の後に完了し、又は再スタートされる。
【０１２９】
１３０６のチューンアウェイ動作を遂行した後に、１４０８において、１４０２のウェイクアップ手順が完了する。特に、１４０８では、１４０２のウェイクアップ手順のタイミングループ動作が遂行される。
【０１３０】
規範的な実施形態：
以下の番号付きの段落は、本開示の規範的な実施形態を示す。
【０１３１】
１．第１無線を備え、該第１無線は第１の無線アクセス技術（ＲＡＴ）及び第２のＲＡＴに基づき動作するように構成可能であるユーザ装置（ＵＥ）において、第１のＲＡＴの第１周波数で第１のＲＡＴの第１のベースステーションとの通信を遂行し、第１のＲＡＴの第２周波数での今度のチューンアウェイ動作をスケジューリングし；ＵＥが第１のＲＡＴの第１周波数で動作する間に第２のＲＡＴの周波数でチューンアウェイ動作を遂行するための要求を受け取り、第２のＲＡＴの周波数へのチューンアウェイの要求は、第１のＲＡＴの第２周波数での今度のチューンアウェイ動作のスタートの前に発生し、そして第１のＲＡＴの第２周波数での今度のチューンアウェイ動作と衝突し；第２のＲＡＴの周波数でチューンアウェイ動作を遂行し、この第２のＲＡＴの周波数でのチューンアウェイ動作の遂行は、第１のＲＡＴの今度のチューンアウェイを遅延するように作用し；第２のＲＡＴの周波数へのチューンアウェイ動作の完了後に、第１無線を第１のＲＡＴの第２周波数へ直接的にチューニングして、第１のＲＡＴの第２周波数でチューンアウェイ動作を遂行し、第１のＲＡＴの第２周波数への第１無線のこの直接的なチューニングは、第２のＲＡＴの周波数でのチューンアウェイ動作の前記完了と第１のＲＡＴの第２周波数への第１無線の前記チューニングとの間に第１のＲＡＴの第１周波数へ第１無線をチューンバックすることを含まず；及び第１のＲＡＴの第２周波数で第１のＲＡＴのチューンアウェイ動作を遂行する；ことを含む方法。
【０１３２】
２．第２のＲＡＴの周波数でのチューンアウェイ動作は、第２のＲＡＴに関連したページデコーディングを遂行することを含む、段落１に記載の方法。
【０１３３】
３．第２のＲＡＴの周波数でのチューンアウェイ動作は、第２のＲＡＴに関連した同期を遂行することを含む、段落１−２のいずれかに記載の方法。
【０１３４】
４．第１のＲＡＴの第２周波数でのチューンアウェイ動作は、第１のＲＡＴに対する隣接ベースステーション測定を遂行することを含む、段落１−３のいずれかに記載の方法。
【０１３５】
５．第１のＲＡＴの第２周波数での第１のＲＡＴのチューンアウェイ動作の前記遂行後に第１のＲＡＴの第１周波数へ第１無線をチューンバックすることを更に含む、段落１−４のいずれかに記載の方法。
【０１３６】
６．ＵＥは、セルラー通信を遂行するための単一無線を備え、前記第１無線は単一無線である、段落１−５のいずれかに記載の方法。
【０１３７】
７．第１のＲＡＴはロング・ターム・エボリューション（ＬＴＥ）を含む、段落１−６のいずれかに記載の方法。
【０１３８】
８．第２のＲＡＴは、グローバル・システム・フォー・モバイル・コミュニケーション（ＧＳＭ）を含む、段落１−７のいずれかに記載の方法。
【０１３９】
９．ＵＥは、ＳＩＭ（加入者アイデンティティモジュール）機能を各々実施する２つのスマートカードを含み、ＵＥは、ＤＳＤＡ（デュアルＳＩＭデュアルアクティブ）機能を実施する、段落１−８のいずれかに記載の方法。
【０１４０】
１０．第１の無線アクセス技術（ＲＡＴ）及び第２のＲＡＴを使用して通信を行い且つ第１のＲＡＴ及び第２のＲＡＴの両方への接続を維持するように構成された第１無線と；前記第１無線に結合された１つ以上のプロセッサと；を備え、前記１つ以上のプロセッサ及び第１無線は、第１のＲＡＴの第１周波数で第１のＲＡＴの第１のベースステーションとの通信を遂行し；第１のＲＡＴの第２周波数でチューンアウェイ動作を遂行し、チューンアウェイ動作の前記遂行は、第１無線を第１のＲＡＴの第２周波数へチューニングすることを含み；第１のＲＡＴの第２周波数で第１のＲＡＴのチューンアウェイ動作を遂行する間に第２のＲＡＴの周波数でチューンアウェイ動作を遂行するための要求を受け取り；その要求を受け取った後に、第１のＲＡＴの第２周波数でのチューンアウェイ動作の遂行を完了し；第１のＲＡＴの第２周波数でのチューンアウェイ動作の遂行を完了した後に、第２のＲＡＴの周波数でのチューンアウェイ動作を遂行し、第２のＲＡＴの周波数でのチューンアウェイ動作の遂行は、第１無線を第１のＲＡＴの第２周波数から第２のＲＡＴの周波数へ直接的にチューニングすることを含み、第２のＲＡＴの周波数への第１無線の前記直接的なチューニングは、第１のＲＡＴの第２周波数でのチューンアウェイ動作の前記遂行完了と、第２のＲＡＴの周波数への第１無線のチューニングとの間に第１のＲＡＴの第１周波数へ第１無線をチューンバックすることを含まないように構成されるユーザ装置（ＵＥ）。
【０１４１】
１１．第２のＲＡＴの周波数での前記チューンアウェイ動作は、第２のＲＡＴに関連したページデコーディングを遂行することを含む、段落１０に記載のＵＥ。
【０１４２】
１２．第２のＲＡＴの周波数での前記チューンアウェイ動作は、第２のＲＡＴに関連した同期を遂行することを含む、段落１０−１１のいずれかに記載のＵＥ。
【０１４３】
１３．第１のＲＡＴの第２周波数での前記チューンアウェイ動作は、第１のＲＡＴに対する隣接ベースステーション測定を遂行することを含む、段落１０−１２のいずれかに記載のＵＥ。
【０１４４】
１４．前記１つ以上のプロセッサは、更に、第２のＲＡＴの周波数でのチューンアウェイ動作の前記遂行の後に第１無線を第１のＲＡＴの第１周波数へチューンバックするように構成される、段落１０−１３のいずれかに記載のＵＥ。
【０１４５】
１５．ＵＥは、セルラー通信を遂行するための単一無線を備え、前記第１無線は単一無線である、段落１０−１４のいずれかに記載のＵＥ。
【０１４６】
１６．第１のＲＡＴは、ロング・ターム・エボリューション（ＬＴＥ）を含み、そして第２のＲＡＴは、グローバル・システム・フォー・モバイル・コミュニケーション（ＧＳＭ）を含む、段落１０−１５のいずれかに記載のＵＥ。
【０１４７】
１７．ＵＥは、ＳＩＭ（加入者アイデンティティモジュール）機能を各々実施する２つのスマートカードを含み、ＵＥは、第１無線を使用してＤＳＤＡ（デュアルＳＩＭデュアルアクティブ）機能を実施するように構成される、段落１０−１６のいずれかに記載のＵＥ。
【０１４８】
１８．ユーザ装置（ＵＥ）により実行するためのプログラムインストラクションを記憶する非一時的なコンピュータアクセス可能なメモリ媒体において、ＵＥは、第１の無線アクセス技術（ＲＡＴ）及び第２のＲＡＴを使用して通信するための第１無線を備え、前記プログラムインストラクションは、第１のＲＡＴの第１周波数で第１のＲＡＴの第１のベースステーションとの通信を遂行し、第１のＲＡＴの第２周波数での今度のチューンアウェイ動作をスケジューリングし；ＵＥが第１のＲＡＴの第１周波数で動作する間に第２のＲＡＴの周波数でチューンアウェイ動作を遂行するための要求を受け取り；第２のＲＡＴの周波数へのチューンアウェイの要求が、第１のＲＡＴの第２周波数での今度のチューンアウェイ動作のスタートの前に発生して、第１のＲＡＴの第２周波数での今度のチューンアウェイ動作と衝突する場合には、第２のＲＡＴの周波数でチューンアウェイ動作を遂行した後に、第１のＲＡＴの第２の周波数でチューンアウェイ動作を遂行し；及び第２のＲＡＴの周波数へのチューンアウェイの要求が、第１のＲＡＴの第２周波数での今度のチューンアウェイ動作のスタートの後に発生する場合には、第１のＲＡＴの第２の周波数でチューンアウェイ動作を遂行した後に、第２のＲＡＴの周波数でチューンアウェイ動作を遂行する；ようにプロセッサにより実行される、非一時的なコンピュータアクセス可能なメモリ媒体。
【０１４９】
１９．第２のＲＡＴの周波数でチューンアウェイ動作を遂行する要求が、第１のＲＡＴの第２周波数での今度のチューンアウェイ動作のスタートの前であって且つ第２のＲＡＴの周波数でのチューンアウェイ動作を完了した後に生じる場合には、前記１つ以上のプロセッサは、更に、第１無線を第１のＲＡＴの第２周波数へ直接的にチューニングして第１のＲＡＴの第２周波数でチューンアウェイ動作を遂行し、第１無線を第１のＲＡＴの第２周波数へ直接的にチューニングすることは、第２のＲＡＴの周波数でのチューンアウェイ動作の完了と、第１のＲＡＴの第２周波数への第１無線のチューニングとの間に第１のＲＡＴの第１周波数へ第１無線をチューンバックすることを含まない；ように構成される、段落１８に記載の非一時的なコンピュータアクセス可能なメモリ媒体。
【０１５０】
２０．第２のＲＡＴの周波数でチューンアウェイ動作を遂行する要求が、第１のＲＡＴの第２周波数での今度のチューンアウェイ動作のスタートの後であって且つ第１のＲＡＴの第２周波数でのチューンアウェイ動作を完了した後に生じる場合には、前記１つ以上のプロセッサは、更に、第１無線を第２のＲＡＴの周波数へ直接的にチューニングして第２のＲＡＴの周波数でチューンアウェイ動作を遂行し、第１無線を第２のＲＡＴの周波数へ直接的にチューニングすることは、第１のＲＡＴの第２周波数でのチューンアウェイ動作の完了と、第２のＲＡＴの周波数への第１無線のチューニングとの間に第１のＲＡＴの第１周波数へ第１無線をチューンバックすることを含まない；ように構成される、段落１８に記載の非一時的なコンピュータアクセス可能なメモリ媒体。
【０１５１】
２１．第１無線を備え、該第１無線は第１の無線アクセス技術（ＲＡＴ）及び第２のＲＡＴに基づき動作するように構成可能であるユーザ装置（ＵＥ）において、アイドルモードからウェイクして第１のＲＡＴの第１周波数で動作し；第１無線を使用して第１のＲＡＴの第１周波数で測定動作を遂行し；第１のＲＡＴの第１周波数での測定動作の前記遂行中に第２のＲＡＴからチューンアウェイ要求を受け取り；第２のＲＡＴからチューンアウェイ要求を受け取るのに応答して第１無線を使用して第２のＲＡＴのチューンアウェイ動作を遂行し、第２のＲＡＴのチューンアウェイ動作の前記遂行は、第１無線を第１のＲＡＴの第１周波数から第２のＲＡＴの周波数へチューニングすることを含み、第２のＲＡＴのチューンアウェイ動作の前記遂行は、第１のＲＡＴの第１周波数での測定動作の完了の前に行う；ことを含む方法。
【０１５２】
２２．第１のＲＡＴの第１周波数での測定動作は、イントラセル測定動作を含む、段落２１に記載の方法。
【０１５３】
２３．第２のＲＡＴのチューンアウェイ動作の前記遂行後に、第２のＲＡＴの周波数から第１のＲＡＴの第１周波数へＵＥの第１無線をチューニングし；そして第２のＲＡＴの周波数から第１のＲＡＴの第１周波数へのＵＥの第１無線の前記チューニングの後に第１のＲＡＴの第１セルにおける第１周波数での測定動作を完了させる；ことを更に含む段落２１−２２のいずれかに記載の方法。
【０１５４】
２４．第２のＲＡＴのチューンアウェイ動作の前記遂行は、第２のＲＡＴでページング動作を遂行して第２のＲＡＴのページングサンプルを収集することを含み；前記方法は、更に、第１のＲＡＴの第１周波数での測定動作の前記完了と同時に第２のＲＡＴのページングサンプルをデコードすることを含む、段落２３に記載の方法。
【０１５５】
２５．第１のＲＡＴの第１周波数での測定動作は、イントラセル測定動作を含み、前記方法は、更に、第２のＲＡＴのチューンアウェイ動作の前記遂行の後に、第２のＲＡＴの周波数から第１のＲＡＴの第２周波数へＵＥの第１無線をチューニングし、そして第１のＲＡＴの第２周波数でインターセル測定を遂行することを含む、段落２１−２４のいずれかに記載の方法。
【０１５６】
２６．第２のＲＡＴのチューンアウェイ動作の前記遂行は、第２のＲＡＴでページング動作を遂行して第２のＲＡＴのページングサンプルを収集することを含み、前記方法は、更に、第１のＲＡＴの第２周波数でのインターセル測定の前記遂行と同時に第２のＲＡＴのページングサンプルをデコードすることを含む、段落２５に記載の方法。
【０１５７】
２７．第１のＲＡＴの第２周波数でのインターセル測定の前記遂行の後に第１のＲＡＴの第１セルにおける第１周波数でのイントラセル測定動作を完了させることを更に含む、段落２５−２６のいずれかに記載の方法。
【０１５８】
２８．第１のＲＡＴは、ロング・ターム・エボリューション（ＬＴＥ）であり、そして第２のＲＡＴは、グローバル・システム・フォー・モバイル・コミュニケーション（ＧＳＭ）である、段落２１−２７のいずれかに記載の方法。
【０１５９】
２９．ＵＥは、ＳＩＭ（加入者アイデンティティモジュール）機能を各々実施する２つのスマートカードを含み、ＵＥは、ＤＳＤＡ（デュアルＳＩＭデュアルアクティブ）機能を実施する、段落２１−２９のいずれかに記載の方法。
【０１６０】
３０．ＵＥは、第１無線及び第２無線を備え、その第２無線は、前記方法の動作中にターンオフされる、段落２１−２９のいずれかに記載の方法。
【０１６１】
３１．第１の無線アクセス技術（ＲＡＴ）及び第２のＲＡＴを使用して通信を行い且つ第１のＲＡＴ及び第２のＲＡＴの両方への接続を維持するように構成された第１無線と；前記第１無線に結合された１つ以上のプロセッサと；を備え、前記１つ以上のプロセッサ及び第１無線は、第１無線を第１のＲＡＴの新たな周波数へチューニングすることにより第１のＲＡＴの異なる隣接セルでインターセル測定動作を繰り返し遂行し、その新たな周波数は、第１のＲＡＴの新たな隣接セルに対応するものであり；第１のＲＡＴの新たな周波数への第１無線の前記チューニングの後に第１のＲＡＴの新たな周波数で新たな隣接セルのインターセル測定を遂行し；第２のＲＡＴからチューンアウェイ要求を受け取り、該第２のＲＡＴのチューンアウェイ要求は、インターセル測定を繰り返し遂行する間に前記無線が第１のＲＡＴの現在の新たな周波数にチューニングされるときに受け取られ；第２のＲＡＴからチューンアウェイ要求を受け取るのに応答して第１のＲＡＴの現在の新たな周波数から第２のＲＡＴの周波数へ前記第１無線をチューニングし；第２のＲＡＴからチューンアウェイ要求を受け取るのに応答して第２のＲＡＴのチューンアウェイ動作を遂行し、第２のＲＡＴのチューンアウェイ動作は、第１のＲＡＴの現在の新たな周波数から第２のＲＡＴの周波数への前記チューニングの後に遂行される、ユーザ装置（ＵＥ）。
【０１６２】
３２．前記１つ以上のプロセッサは、更に、第２のＲＡＴのチューンアウェイ動作を遂行し、そしてインターセル測定動作の繰り返し遂行を再開した後に第１のＲＡＴの次の新たな周波数へ前記第１無線をチューニングするよう構成される、段落３１に記載のＵＥ。
【０１６３】
３３．第２のＲＡＴのチューンアウェイ動作の前記遂行は、第２のＲＡＴでページング動作を遂行して第２のＲＡＴでページングサンプルを収集することを含み；前記１つ以上のプロセッサは、更に、インターセル測定動作の繰り返し遂行の前記再開と同時に第２のＲＡＴのページングサンプルをデコードするように構成される、段落３２に記載のＵＥ。
【０１６４】
３４．第２のＲＡＴからのチューンアウェイ要求の前記受け取りは、第１のＲＡＴの現在の新たな周波数でのインターセル測定の完了前に行われ；第１のＲＡＴの現在の新たな周波数から第２のＲＡＴの周波数への第１無線の前記チューニングは、第１のＲＡＴの現在の新たな周波数でのインターセル測定の完了前に行われる、段落３１−３４のいずれかに記載のＵＥ。
【０１６５】
３５．前記１つ以上のプロセッサは、第２のＲＡＴのチューンアウェイ動作を遂行し、そしてインターセル測定動作の繰り返しの遂行を再開した後に第１のＲＡＴの次の新たな周波数へ前記第１無線をチューニングするように構成される、段落３４に記載のＵＥ。
【０１６６】
３６．前記１つ以上のプロセッサは、第２のＲＡＴのチューンアウェイ動作を遂行し、そして第１のＲＡＴの現在の新たな周波数でのインターセル測定を完了した後に第１のＲＡＴの現在の新たな周波数へ前記第１無線をチューンバックするように構成される、段落３４−３５のいずれかに記載のＵＥ。
【０１６７】
３７．第１のＲＡＴは、ロング・ターム・エボリューション（ＬＴＥ）であり、そして第２のＲＡＴは、グローバル・システム・フォー・モバイル・コミュニケーション（ＧＳＭ）である、段落３１−３６のいずれかに記載のＵＥ。
【０１６８】
３８．ＵＥは、セルラー通信を遂行するための単一無線を備え、そして前記第１無線は単一無線である、段落３１−３７のいずれかに記載のＵＥ。
【０１６９】
３９．ＵＥは、ＳＩＭ（加入者アイデンティティモジュール）機能を実施するよう各々構成された２つのスマートカードを含み、ＵＥは、第１無線を使用してＤＳＤＡ（デュアルＳＩＭデュアルアクティブ）機能を実施するように構成された、段落３１−３８のいずれかに記載のＵＥ。
【０１７０】
４０．ユーザ装置（ＵＥ）により実行するためのプログラムインストラクションを記憶する非一時的なコンピュータアクセス可能なメモリ媒体において、ＵＥは、第１の無線アクセス技術（ＲＡＴ）及び第２のＲＡＴを使用して通信するための第１無線を備え、前記プログラムインストラクションは、第１無線を第１のＲＡＴの周波数へチューニングすることにより第１のＲＡＴで測定動作を繰り返し遂行し；第１のＲＡＴの周波数への第１無線の前記チューニングの後に第１のＲＡＴの周波数で測定を遂行し；第２のＲＡＴからチューンアウェイ要求を受け取り、第２のＲＡＴのチューンアウェイ要求は、前記繰り返しの遂行中に第１のＲＡＴの現在周波数へ無線がチューニングされるときに受け取られ；第２のＲＡＴからチューンアウェイ要求を受け取るのに応答して第１のＲＡＴの現在周波数から第２のＲＡＴの周波数へ第１無線をチューニングし；チューンアウェイ要求を受け取るのに応答して第２のＲＡＴのチューンアウェイ動作を遂行し、そのチューンアウェイ動作の遂行は、第１のＲＡＴの現在周波数から第２のＲＡＴの周波数へ第１無線をチューニングした後に遂行され；そして第２のＲＡＴのチューンアウェイ動作の遂行後に、第１のＲＡＴでの測定動作の繰り返しの遂行を再開する；ようにプロセッサにより実行される、非一時的なコンピュータアクセス可能なメモリ媒体。
【０１７１】
４１．第１無線を備え、該第１無線は第１の無線アクセス技術（ＲＡＴ）及び第２のＲＡＴに基づき動作するように構成可能であるユーザ装置（ＵＥ）において、第１のＲＡＴで動作するためにスリープモードからのウェイクアップ手順を開始し、該ウェイクアップ手順は、結晶発振子のウオームアップを遂行し、高周波回路のウオームアップを遂行し、時間追跡ループ及び／又は周波数追跡ループ動作を遂行して、第１のＲＡＴのベースステーションとの動作を同期させることを含み；ウェイクアップ手順を遂行する間に第２のＲＡＴに関連したチューンアウェイ要求を受け取り、そのチューンアウェイ要求は、前記結晶発振子ウオームアップ又は高周波回路のウオームアップのいずれかを遂行する間に受け取られ；前記結晶発振子ウオームアップ及び高周波回路のウオームアップを遂行した後であって時間追跡ループ及び／又は周波数追跡ループ動作を遂行する前に第２のＲＡＴのチューンアウェイ動作を遂行し；そして第２のＲＡＴのチューンアウェイ動作を完了した後に時間追跡ループ及び／又は周波数追跡ループ動作を遂行する；ことを含む方法。
【０１７２】
４２．高周波回路のウオームアップは、ＵＥのプロセッサのスタートアップ動作を遂行することを含む、段落４１に記載の方法。
【０１７３】
４３．チューンアウェイ動作は、第２のＲＡＴに関連したページデコーディングを遂行することを含む、段落４１−４２のいずれかに記載の方法。
【０１７４】
４４．結晶発振子のウオームアップは、結晶発振子へ電力を供給しそしてそれがウオームアップするのを待機することを含む、段落４１−４３のいずれかに記載の方法。
【０１７５】
４５．前記ウェイクアップ手順を開始することは、第１のＲＡＴに関連したサイクルの一部分として遂行される、段落４１−４４のいずれかに記載の方法。
【０１７６】
４６．前記サイクルは、接続不連続受信（ＣＤＲＸ）サイクルである、段落４５に記載の方法。
【０１７７】
４７．第１のＲＡＴは、ロング・ターム・エボリューション（ＬＴＥ）である、段落４１−４６のいずれかに記載の方法。
【０１７８】
４８．第２のＲＡＴは、グローバル・システム・フォー・モバイル・コミュニケーション（ＧＳＭ）である、段落４１−４７のいずれかに記載の方法。
【０１７９】
４９．ＵＥは、ＳＩＭ（加入者アイデンティティモジュール）機能を各々実施する２つのスマートカードを含み、ＵＥは、ＤＳＤＡ（デュアルＳＩＭデュアルアクティブ）機能を実施する、段落４１−４８のいずれかに記載の方法。
【０１８０】
５０．ＵＥは、第１無線及び第２無線を備え、その第２無線は、前記方法の動作中にターンオフされる、段落４１−４９のいずれかに記載の方法。
【０１８１】
５１．結晶発振子と；第１の無線アクセス技術（ＲＡＴ）及び第２のＲＡＴを使用して通信を行い且つ第１のＲＡＴ及び第２のＲＡＴの両方への接続を維持するように構成された第１無線と；該第１無線に結合されたハードウェアと；を備え、このハードウェア及び第１無線は、第１のＲＡＴで動作するためにスリープモードからのウェイクアップを開始し、ウェイクアップは、結晶発振子のための結晶発振子ウオームアップを遂行し、時間追跡ループ及び／又は周波数追跡ループ動作を遂行して第１のＲＡＴに関連したベースステーションとの動作を同期させることを含むものであり；時間追跡ループ及び／又は周波数追跡ループ動作を遂行する間に第２のＲＡＴからチューンアウェイ要求を受け取り；第２のＲＡＴからチューンアウェイ要求を受け取るのに応答して時間追跡ループ及び／又は周波数追跡ループ動作の遂行を中止し；時間追跡ループ及び／又は周波数追跡ループ動作の遂行を中止した後にチューンアウェイ要求に応答して第２のＲＡＴのチューンアウェイ動作を遂行し；第２のＲＡＴのチューンアウェイ動作を完了した後に時間追跡ループ及び／又は周波数追跡ループ動作を遂行する；ように構成されたユーザ装置（ＵＥ）。
【０１８２】
５２．結晶発振子のウオームアップは、結晶発振子に電力を供給しそしてそれがウオームアップするのを待機することを含む、段落５１に記載のＵＥ。
【０１８３】
５３．ウェイクアップは、更に、時間追跡ループ及び／又は周波数追跡ループ動作を遂行する前にＵＥのプロセッサのスタートアップ動作を遂行することを含む、段落５１−５２のいずれかに記載のＵＥ。
【０１８４】
５４．第１のＲＡＴは、ロング・ターム・エボリューション（ＬＴＥ）であり、第２のＲＡＴは、グローバル・システム・フォー・モバイル・コミュニケーション（ＧＳＭ）である、段落５１−５３のいずれかに記載のＵＥ。
【０１８５】
５５．ＵＥは、セルラー通信を遂行するための単一無線を備え、そして前記第１無線は単一無線である、段落５１−５４のいずれかに記載のＵＥ。
【０１８６】
５６．ＵＥは、ＳＩＭ（加入者アイデンティティモジュール）機能を実施するよう各々構成された２つのスマートカードを含み、ＵＥは、第１無線を使用してＤＳＤＡ（デュアルＳＩＭデュアルアクティブ）機能を実施するように構成された、段落５１−５５のいずれかに記載のＵＥ。
【０１８７】
５７．ユーザ装置（ＵＥ）により実行するためのプログラムインストラクションを記憶する非一時的なコンピュータアクセス可能なメモリ媒体において、ＵＥは、第１の無線アクセス技術（ＲＡＴ）及び第２のＲＡＴを使用して通信するための第１無線を備え、前記プログラムインストラクションは、第１のＲＡＴで動作するためにスリープモードからのウェイクアップ動作を開始し、ウェイクアップ動作は、結晶発振子のウオームアップを遂行し、追跡ループ動作を遂行して第１のＲＡＴに関連したベースステーションとの動作を同期させることを含むものであり；ウェイクアップ動作を遂行する間に第２のＲＡＴからチューンアウェイ要求を受け取り；結晶発振子のウオームアップを遂行する間にチューンアウェイ要求が受け取られる場合には、結晶発振子のウオームアップの遂行を完了し；結晶発振子のウオームアップの遂行を完了した後にチューンアウェイ要求に関連したチューンアウェイ動作を遂行し；チューンアウェイ動作を遂行した後に追跡ループ動作を遂行し；追跡ループ動作を遂行する間にチューンアウェイ要求が受け取られる場合には、第２のＲＡＴからチューンアウェイ要求を受け取るのに応答して追跡ループ動作の遂行を中止し；追跡ループ動作の遂行を中止した後にチューンアウェイ要求に応答して第２のＲＡＴのチューンアウェイ動作を遂行し；第２のＲＡＴのチューンアウェイ動作を完了した後に追跡ループ動作を遂行する；ようにプロセッサにより実行される、非一時的なコンピュータアクセス可能なメモリ媒体。
【０１８８】
５８．追跡ループ動作は、時間追跡ループ及び／又は周波数追跡ループ動作を含む、段落５７に記載の非一時的なコンピュータアクセス可能なメモリ媒体。
【０１８９】
５９．チューンアウェイ要求は、結晶発振子ウオームアップを遂行するか又はＵＥのプロセッサのスタートアップ動作を遂行する間に受け取られる、段落５７に記載の非一時的なコンピュータアクセス可能なメモリ媒体。
【０１９０】
６０．時間追跡ループ及び／又は周波数追跡ループ動作を遂行する間にチューンアウェイ要求が受け取られる、段落５７に記載の非一時的なコンピュータアクセス可能なメモリ媒体。
【０１９１】
６１．第１無線を備え、該第１無線は第１の無線アクセス技術（ＲＡＴ）及び第２のＲＡＴに基づき構成可能であるユーザ装置（ＵＥ）を動作する方法において、ＵＥが第１のセルにおいて第１のＲＡＴの第１周波数で動作し、第１のＲＡＴの第２周波数で隣接セルへの第１のＲＡＴの今度のチューンアウェイがスケジュールされ；ＵＥが第１のＲＡＴの第１周波数で第１のセルにおいて動作している間に第２のＲＡＴの周波数へのチューンアウェイの要求を受け取り、第２のＲＡＴの周波数へのチューンアウェイの要求は、第１のＲＡＴの今度のチューンアウェイのスタートの前に生じて第１のＲＡＴの今度のチューンアウェイと衝突するものであり；ＵＥの第１無線により、第２のＲＡＴの周波数へのチューンアウェイを遂行し、第２のＲＡＴの周波数へのチューンアウェイの前記遂行は、第１のＲＡＴの今度のチューンアウェイを遅延させるように作用し；第２のＲＡＴの周波数へのチューンアウェイが完了した後に、前記無線を第１のＲＡＴの第２周波数へ直接的にチューニングし；第１のＲＡＴの第２周波数への前記無線の直接的なチューニングは、第２のＲＡＴの周波数へのチューンアウェイの前記完了と、第２のＲＡＴの周波数への前記無線のチューニングとの間に第１のＲＡＴの第１周波数へ前記無線をチューンバックすることを含まず；そして第１のＲＡＴの第２周波数で隣接セルの測定を遂行する；ことを含む方法。
【０１９２】
６２．第１のＲＡＴは、ＬＴＥであり、そして第２のＲＡＴは、ＧＳＭである、段落６１に記載の方法。
【０１９３】
６３．第１のＲＡＴの第２周波数での隣接セルの測定の前記遂行後に第１のＲＡＴの第１周波数へ前記無線をチューンバックすることを更に含む、段落６１−６２のいずれかに記載の方法。
【０１９４】
６４．第１無線を備え、該第１無線は第１の無線アクセス技術（ＲＡＴ）及び第２のＲＡＴに基づき構成可能であるユーザ装置（ＵＥ）を動作する方法において、ＵＥが第１のセルにおいて第１のＲＡＴの第１周波数で動作し；第１のＲＡＴのチューンアウェイを遂行し、該チューンアウェイの遂行は、第１のＲＡＴの第２周波数へ無線をチューニングしそして第１のＲＡＴの第２周波数での隣接セルの測定値を収集することを含み；第１のＲＡＴの第２周波数での隣接セルの測定値の前記収集の間に第２のＲＡＴへのチューンアウェイの要求を受け取り；第２のＲＡＴへのチューンアウェイの要求の前記受け取りの後にＵＥの第１無線により第１のＲＡＴのチューンアウェイの遂行を完了し、該遂行の完了は、第１のＲＡＴの第２周波数での隣接セルからの測定値の収集を完了させることを含み；第１のＲＡＴのチューンアウェイの遂行の前記完了後に、第２のＲＡＴの周波数へ無線を直接的にチューニングし、第２のＲＡＴの周波数への無線の前記直接的なチューニングは、第１のＲＡＴの第２周波数での隣接セルからの測定値の収集の前記完了と、第２のＲＡＴの周波数への無線の前記チューニングとの間に第１のＲＡＴの第１周波数へ無線をチューンバックすることを含まず；そして第２のＲＡＴの周波数への無線の前記直接的なチューニングの後に第２のＲＡＴの周波数へのチューンアウェイをＵＥの第１無線により遂行する；ことを含む方法。
【０１９５】
６５．第１のＲＡＴは、ＬＴＥであり、そして第２のＲＡＴは、ＧＳＭである、段落６４に記載の方法。
【０１９６】
６６．第１無線を備え、該第１無線は第１の無線アクセス技術（ＲＡＴ）及び第２のＲＡＴに基づき構成可能であるユーザ装置（ＵＥ）を動作する方法において、ＵＥは、アイドルモードからウェイクしそして第１のＲＡＴの第１セルにおいて第１周波数で動作し；第１無線により第１のＲＡＴの第１セルにおいてイントラセル測定動作を遂行し；第１のＲＡＴの第１セルにおける第１周波数でのイントラセル測定動作の前記遂行中に第２のＲＡＴからチューンアウェイ要求を受け取り；第２のＲＡＴからのチューンアウェイ要求の前記受け取り後に第２のＲＡＴのチューンアウェイ動作を遂行し、第２のＲＡＴのチューンアウェイ動作の前記遂行は、第１のＲＡＴの第１周波数から第２のＲＡＴの周波数へ第１無線をチューニングすることを含み；第２のＲＡＴのチューンアウェイ動作の前記遂行は、第１のＲＡＴの第１セルにおける第１周波数でのイントラセル測定動作の完了前に行う；ことを含む方法。
【０１９７】
６７．第２のＲＡＴのチューンアウェイ動作の前記遂行の後に第１のＲＡＴの第１セルにおいて第１周波数でイントラセル測定動作を完了することを更に含む、段落６６に記載の方法。
【０１９８】
６８．第２のＲＡＴのチューンアウェイ動作の前記遂行の後に、ＵＥの第１無線を第２のＲＡＴの周波数から第１のＲＡＴの第１周波数へチューニングし；そして第２のＲＡＴの周波数から第１のＲＡＴの第１周波数へのＵＥの第１無線の前記チューニングの後に、第１のＲＡＴの第１セルにおいて第１周波数でイントラセル測定動作を完了させる；ことを更に含む段落６６−６７のいずれかに記載の方法。
【０１９９】
６９．第２のＲＡＴのチューンアウェイ動作の前記遂行は、第２のＲＡＴでページング動作を遂行して第２のＲＡＴにおいてページングサンプルを収集することを含み；前記方法は、更に、第１のＲＡＴの第１セルにおける第１周波数でのイントラセル測定動作の前記完了と同時に第２のＲＡＴのページングサンプルをデコードすることを含む；段落６８に記載の方法。
【０２００】
７０．第２のＲＡＴのチューンアウェイ動作の前記遂行の後に、ＵＥの第１無線を第２のＲＡＴの周波数から第１のＲＡＴの第２周波数へチューニングし；そして第１のＲＡＴの第２周波数でインターセル測定動作を遂行する；ことを更に含む段落６６−６９のいずれかに記載の方法。
【０２０１】
７１．第２のＲＡＴのチューンアウェイ動作の前記遂行は、第２のＲＡＴでページング動作を遂行して第２のＲＡＴにおいてページングサンプルを収集することを含み；前記方法は、更に、第１のＲＡＴの第２周波数でのインターセル測定の前記遂行と同時に第２のＲＡＴのページングサンプルをデコードすることを含む；段落７０に記載の方法。
【０２０２】
７２．第１のＲＡＴの第２周波数でのインターセル測定の前記遂行後に第１のＲＡＴの第１セルにおいて第１周波数でイントラセル測定動作を完了させる；ことを更に含む、段落７０に記載の方法。
【０２０３】
７３．第１のＲＡＴは、ＬＴＥであり、そして第２のＲＡＴは、ＧＳＭである、段落６６−７２のいずれかに記載の方法。
【０２０４】
７４．第１無線は、ＵＥに含まれる唯一の無線である、段落６６−７３のいずれかに記載の方法。
【０２０５】
７５．ＵＥは、第１無線及び第２無線を備え、第２無線は、前記方法の動作中にターンオフされる、段落６６−７４のいずれかに記載の方法。
【０２０６】
７６．第１無線を備え、該第１無線は第１の無線アクセス技術（ＲＡＴ）及び第２のＲＡＴに基づき構成可能であるユーザ装置（ＵＥ）を動作する方法において、第１のＲＡＴの新たな周波数へ第１無線をチューニングすることにより第１のＲＡＴの異なる隣接セルでインターセル測定動作を繰り返し遂行し、その新たな周波数は、第１のＲＡＴの新たな隣接セルに対応し；第１のＲＡＴの新たな周波数への第１無線の前記チューニングの後に第１のＲＡＴの新たな周波数で新たな隣接セルのインターセル測定を遂行し；第２のＲＡＴからチューンアウェイ要求を受け取り、この第２のＲＡＴのチューンアウェイ要求は、前記繰り返しの遂行中に第１のＲＡＴの現在の新たな周波数へ前記無線がチューニングされたときに受け取られ；第２のＲＡＴからチューンアウェイ要求を受け取るのに応答して第１のＲＡＴの現在の新たな周波数から第２のＲＡＴの周波数へ前記第１無線をチューニングし；第１のＲＡＴの現在の新たな周波数から第２のＲＡＴの周波数への前記第１無線の前記チューニングの後に第２のＲＡＴのチューンアウェイ動作を遂行する；ことを含む方法。
【０２０７】
７７．第２のＲＡＴのチューンアウェイ動作の前記遂行の後に第１のＲＡＴの次の新たな周波数へ前記第１無線をチューニングし、そして前記繰り返しの遂行を再開する、段落７６に記載の方法。
【０２０８】
７８．第２のＲＡＴのチューンアウェイ動作の前記遂行は、第２のＲＡＴでページング動作を遂行して第２のＲＡＴでページサンプルを収集することを含み；前記方法は、更に、前記繰り返しの遂行の前記再開と同時に第２のＲＡＴのページングサンプルをデコードすることを含む、段落７６−７７のいずれかに記載の方法。
【０２０９】
７９．第２のＲＡＴからのチューンアウェイ要求の前記受け取りは、第１のＲＡＴの現在の新たな周波数でのインターセル測定を完了する前に行われ；そして第１のＲＡＴの現在の新たな周波数から第２のＲＡＴの周波数への前記第１無線の前記チューニングは、第１のＲＡＴの現在の新たな周波数でのインターセル測定を完了する前に行われる、段落７６−７８のいずれかに記載の方法。
【０２１０】
８０．第２のＲＡＴのチューンアウェイ動作の前記遂行の後に第１のＲＡＴの次の新たな周波数へ前記第１無線をチューニングし、そして前記繰り返しの遂行を再開する、段落７９に記載の方法。
【０２１１】
８１．第２のＲＡＴのチューンアウェイ動作の前記遂行の後に第１のＲＡＴの現在の新たな周波数へ前記第１無線をチューンバックし、そして第１のＲＡＴの現在の新たな周波数でインターセル測定を完了させる、段落７９に記載の方法。
【０２１２】
８２．第１のＲＡＴは、ＬＴＥであり、そして第２のＲＡＴは、ＧＳＭである、段落７６から８１のいずれかに記載の方法。
【０２１３】
８３．前記第１無線は、ＵＥに含まれる唯一の無線である、段落７６−８２のいずれかに記載の方法。
【０２１４】
８４．ＵＥは、第１無線及び第２無線を備え、その第２無線は、前記方法の動作中にターンオフされる、段落７６−８３のいずれかに記載の方法。
【０２１５】
８５．第１無線を備え、該第１無線は第１の無線アクセス技術（ＲＡＴ）及び第２のＲＡＴに基づき構成可能であるユーザ装置（ＵＥ）を動作する方法において、第１のＲＡＴの周波数へ第１無線をチューニングすることにより第１のＲＡＴで測定動作を繰り返し遂行し；第１のＲＡＴの周波数への第１無線の前記チューニングの後に第１のＲＡＴの周波数で測定を遂行し；第２のＲＡＴからチューンアウェイ要求を受け取り；この第２のＲＡＴのチューンアウェイ要求は、前記繰り返しの遂行中に第１のＲＡＴの現在周波数へ前記無線がチューニングされるときに受け取られ；第２のＲＡＴからチューンアウェイ要求を受け取るのに応答して第１のＲＡＴの現在周波数から第２のＲＡＴの周波数へ前記第１無線をチューニングし；この第１のＲＡＴの現在周波数から第２のＲＡＴの周波数への前記第１無線の前記チューニングの後に第２のＲＡＴのチューンアウェイ動作を遂行し；そしてこの第２のＲＡＴのチューンアウェイ動作の前記遂行の後に、前記繰り返しの遂行を再開する；ことを含む方法。
【０２１６】
８６．第１の無線アクセス技術（ＲＡＴ）及び第２のＲＡＴに基づき構成可能である第１無線を備えたユーザ装置（ＵＥ）を動作する方法において、ＵＥは、第１のＲＡＴで動作するためにスリープモードからのウェイクアップを開始し、ＵＥのウェイクアップは、結晶発振子のウオームアップを遂行し、ＵＥのＣＰＵでスタートアップ動作を遂行し、時間追跡ループ及び／又は周波数追跡ループ動作を遂行してベースステーションとの動作を同期させ、ＵＥがスリープモードからウェイクアップする間に第２のＲＡＴからチューンアウェイ要求を受け取ることを含み、そのチューンアウェイ要求は、結晶発振子のウオームアップの前記遂行又はＣＰＵでのスタートアップ動作の前記遂行中に受け取られ；ＵＥのＣＰＵでのスタートアップ動作の前記遂行後であって且つ時間追跡ループ及び／又は周波数追跡ループ動作の前記遂行の前にチューンアウェイ動作を遂行し；そしてチューンアウェイ動作の完了後に時間追跡ループ及び／又は周波数追跡ループ動作を遂行する；ことを含む方法。
【０２１７】
８７．第１の無線アクセス技術（ＲＡＴ）及び第２のＲＡＴに基づき構成可能である第１無線を備えたユーザ装置（ＵＥ）を動作する方法において、ＵＥは、第１のＲＡＴで動作するためにスリープモードからのウェイクアップを開始し、ＵＥのウェイクアップは、結晶発振子のウオームアップを遂行し、ＵＥのＣＰＵでスタートアップ動作を遂行し、時間追跡ループ及び／又は周波数追跡ループ動作を遂行してベースステーションとの動作を同期させることを含み；時間追跡ループ及び／又は周波数追跡ループ動作の前記遂行中に第２のＲＡＴからチューンアウェイ要求を受け取り；第２のＲＡＴからのチューンアウェイ要求の前記受け取りに応答して時間追跡ループ及び／又は周波数追跡ループ動作の前記遂行を中止し；その中止の後にチューンアウェイ動作を遂行し；そしてチューンアウェイ動作が完了した後に時間追跡ループ及び／又は周波数追跡ループ動作を遂行する；ことを含む方法。
【０２１８】
８８．結晶発振子のウオームアップは、結晶発振子へ電力を供給しそしてそれがウオームアップするのを待機することを含む、段落８７に記載の方法。
【０２１９】
８９．詳細な説明に実質的に述べられたアクション又はアクションの組み合わせを含む方法。
【０２２０】
９０．図１から最後の図の各々又はその組み合わせを参照するか、或いは詳細な説明における段落の各々又はその組み合わせを参照して実質的に述べた方法。
【０２２１】
９１．詳細な説明に実質的に述べられたアクション又はアクションの組み合わせを遂行するように構成されたワイヤレス装置。
【０２２２】
９２．ワイヤレス装置に含まれるとして詳細な説明に述べられたコンポーネント又はコンポーネントの組み合わせを含むワイヤレス装置。
【０２２３】
９３．実行時に、詳細な説明に実質的に述べられたアクション、又はアクションの組み合わせを遂行させるインストラクションを記憶する不揮発性コンピュータ読み取り可能な媒体。
【０２２４】
９４．詳細な説明に実質的に述べられたアクション又はアクションの組み合わせを遂行するように構成された集積回路。
【０２２５】
本発明の実施形態は、種々の形態のいずれかで実現することができる。例えば、ある実施形態では、本発明は、コンピュータ実施方法、コンピュータ読み取り可能なメモリ媒体又はコンピュータシステムとして実現される。他の実施形態では、本発明は、ＡＳＩＣのような１つ以上のカスタム設計のハードウェア装置を使用して実現される。又、他の実施形態では、本発明は、ＦＰＧＡのような１つ以上のプログラム可能なハードウェア要素を使用して実現される。
【０２２６】
ある実施形態では、非一時的なコンピュータ読み取り可能なメモリ媒体は、プログラムインストラクション及び／又はデータを記憶するように構成され、プログラムインストラクションは、コンピュータシステムにより実行された場合に、コンピュータシステムが、方法、例えば、ここに述べる方法実施形態のいずれか、又はここに述べる方法実施形態の任意の組み合わせ、或いはここに述べる方法実施形態のいずれかのサブセット、又はそのようなサブセットの任意の組み合わせ遂行するようにさせる。
【０２２７】
ある実施形態では、装置（例えば、ＵＥ）は、プロセッサ（又はプロセッサのセット）及びメモリ媒体を含むように構成され、メモリ媒体は、プログラムインストラクションを記憶し、プロセッサは、メモリ媒体からプログラムインストラクションを読み取って実行するように構成され、プログラムインストラクションは、ここに述べる種々の方法実施形態のいずれか（又はここに述べる方法実施形態の任意の組み合わせ、或いはここに述べる方法実施形態のいずれかのサブセット、又はそのようなサブセットの組み合わせ）を実施するように実行される。装置は、種々の形態のいずれかで実施される。
【０２２８】
以上、本発明の実施形態を非常に詳細に説明したが、当業者であれば、前記開示が充分に理解されれば、多数の変更や修正が明らかとなろう。特許請求の範囲は、そのような全ての変更や修正を包含すると解釈される。
【符号の説明】
【０２２９】
１２：ハウジング
１４：ディスプレイ
１６：ホームボタン
１８：スピーカボタン
２８：ストレージ及び処理回路
４０：アンテナ
４２：コントロール回路
５７：第１無線
５８：ベースバンドプロセッサ
５９：トランシーバ（ＴＸ）チェーン
６０：高周波トランシーバ回路
６１、６３：受信器（ＲＸ）チェーン
６２：高周波フロントエンド
６３：第２無線
７２：ＧＳＭロジック
７４：ＬＴＥロジック
１００：コアネットワーク
１０２：ベースステーション
１０６：ユーザ装置（ＵＥ）
１０８：外部ネットワーク
３１０：ＵＩＣＣカード
４００：システムオンチップ（ＳＯＣ）
４０２：プロセッサ
４０４：ディスプレイ回路
４０６：メモリ
４１０：ＮＡＮＤフラッシュ
４２０：コネクタインターフェイス
４２９：ショートレンジワイヤレス通信回路
４３０：セルラー通信回路
４３５、４３６：アンテナ
４４０：メモリマネージメントユニット（ＭＭＵ）
４５０：リードオンリメモリ（ＲＯＭ）
４６０：ディスプレイ
５０４：プロセッサ
５３０：無線
５３２：通信チェーン
５３４：アンテナ
５５０：ＲＯＭ
５６０：メモリ
５７０：ネットワークポート
【図１】
0005989821.tif 000002
【図２】
0005989821.tif 000003
【図３】
0005989821.tif 000004
【図４】
0005989821.tif 000005
【図５Ａ】
0005989821.tif 000006
【図５Ｂ】
0005989821.tif 000007
【図６】
0005989821.tif 000008
【図７Ａ】
0005989821.tif 000009
【図７Ｂ】
0005989821.tif 000010
【図８】
0005989821.tif 000011
【図９Ａ】
0005989821.tif 000012
【図９Ｂ】
0005989821.tif 000013
【図１０】
0005989821.tif 000014
【図１１Ａ】
0005989821.tif 000015
【図１１Ｂ】
0005989821.tif 000016
【図１２】
0005989821.tif 000017
【図１３Ａ】
0005989821.tif 000018
【図１３Ｂ】
0005989821.tif 000019
【図１４】
0005989821.tif 000020